(57)【要約】【課題】他の機器に移動させたコンテンツに対するアクセスを容易にする。【解決手段】記録再生装置１は、管理対象のコンテンツを移動先装置２に移動させる際に、移動先装置２から該コンテンツの移動先を指定するImportURIを取得するダビング情報管理部２３と、上記ImportURIを上記コンテンツにアクセスするためのリンク情報３２として記憶するリンク情報管理部２４とを備えている。【選択図】図１
2013123203.tif 000002
【特許請求の範囲】
【請求項１】
コンテンツの管理を行うコンテンツ管理装置であって、
管理対象のコンテンツを移動先装置に移動させる際に、該移動先装置から該コンテンツの移動先を指定する移動先指定情報を取得する移動先指定情報取得手段と、
上記移動先指定情報取得手段が取得した上記移動先指定情報を、上記コンテンツにアクセスするためのリンク情報として記憶するリンク情報記憶手段と、を備えていることを特徴とするコンテンツ管理装置。
【請求項２】
上記移動先指定情報取得手段は、管理対象のコンテンツを移動させる際に、上記移動先装置から該移動先装置を識別する識別情報をさらに取得し、
上記リンク情報記憶手段は、上記リンク情報の移動先指定情報と、上記移動先指定情報取得手段が取得した上記識別情報とを対応付けて記憶することを特徴とする請求項１に記載のコンテンツ管理装置。
【請求項３】
上記移動先指定情報は、上記移動先装置のネットワーク上のアドレスを含み、
上記リンク情報の移動先指定情報を用いたアクセスに失敗した場合に、当該移動先指定情報に対応付けられた識別情報を用いて移動先装置を検出し、検出した移動先装置のネットワーク上のアドレスを取得するアドレス取得手段を備え、
上記リンク情報記憶手段は、上記アドレス取得手段が取得したアドレスで上記移動先指定情報のアドレス部分を置換して、該移動先指定情報を更新することを特徴とする請求項２に記載のコンテンツ管理装置。
【請求項４】
更新後の移動先指定情報を用いたアクセスにも失敗した場合に、上記アドレス取得手段が取得したアドレスを用いて移動先装置にアクセスし、該移動先装置が格納する各コンテンツをユーザに提示するための情報を取得する選択用情報取得手段を備えていることを特徴とする請求項３に記載のコンテンツ管理装置。
【請求項５】
上記リンク情報記憶手段がリンク情報を記憶したコンテンツについて、該コンテンツがリンク情報でアクセス可能なコンテンツであることを示すリンクアクセス情報を記憶するコンテンツ管理手段と、
上記リンクアクセス情報が記憶されているコンテンツがアクセス対象として選択されたときに、上記リンク情報を用いて当該コンテンツにアクセスするアクセス手段と、を備えていることを特徴とする請求項１から４の何れか１項に記載のコンテンツ管理装置。
【請求項６】
管理対象のコンテンツが上記移動先装置へ移動される毎に、該移動先から取得した上記移動先指定情報を記憶する移動先指定情報記憶部と、
上記コンテンツへアクセスするためのリンク情報が削除された場合、上記移動先情報記憶部に記憶されている上記移動先指定情報を用いて、上記リンク情報を復元する復元手段と、をさらに備えることを特徴とする請求項１から５の何れか１項に記載のコンテンツ管理装置。
【請求項７】
請求項１から６の何れか１項に記載のコンテンツ管理装置を動作させるための制御プログラムであって、コンピュータを上記各手段として機能させるための制御プログラム。
【請求項８】
請求項７に記載の制御プログラムを記録したコンピュータ読み取り可能な記録媒体。
【請求項９】
コンテンツの管理を行うコンテンツ管理装置によるコンテンツ管理方法であって、
管理対象のコンテンツを移動先装置に移動させる際に、該移動先装置から該コンテンツの移動先を指定する移動先指定情報を取得する移動先指定情報取得ステップと、
上記移動先指定情報取得ステップで取得した上記移動先指定情報を、上記コンテンツにアクセスするためのリンク情報として記憶するリンク情報記憶ステップと、を含むことを特徴とするコンテンツ管理方法。
【請求項１０】
請求項１から６の何れか１項に記載のコンテンツ管理装置が管理対象とするコンテンツの移動先である移動先装置であって、
上記コンテンツ管理装置の上記移動先指定情報取得手段に取得させた上記移動先指定情報と、当該コンテンツの格納先を示す格納先情報とを対応付けた対応情報を記憶する対応情報記憶手段と、
上記コンテンツ管理装置から、上記移動先指定情報によるコンテンツへのアクセスを受けたときに、上記対応情報記憶手段が記憶した対応情報を参照して、当該移動先指定情報に対応付けられた格納先情報を特定する格納先情報特定手段とを備えていることを特徴とする移動先装置。
【請求項１１】
請求項１から６の何れか１項に記載のコンテンツ管理装置を備えたテレビジョン受像機。
【請求項１２】
請求項１から６の何れか１項に記載のコンテンツ管理装置と、
上記コンテンツ管理装置が管理対象とするコンテンツの移動先である移動先装置と
を含むコンテンツ管理システムであって、
上記移動先装置は、
上記コンテンツ管理装置から受信した上記コンテンツのコンテンツ名を変更するコンテンツ名変更手段と、
上記コンテンツ名の変更を上記コンテンツ管理装置へ通知するコンテンツ名変更通知手段と、を備え、
上記コンテンツ管理装置は、
上記移動先装置から上記コンテンツ名の変更が通知された場合、上記コンテンツ名の変更を、上記コンテンツにアクセスするためのリンク情報に記されているコンテンツ名に反映するコンテンツ名変更反映手段を備える
ことを特徴とするコンテンツ管理システム。
【請求項１３】
請求項１から６の何れか１項に記載のコンテンツ管理装置と、
上記コンテンツ管理装置が管理対象とするコンテンツの移動先である移動先装置と、
上記移動先装置に移動された上記コンテンツのさらなる移動先である外部装置と、
を含むコンテンツ管理システムであって、
上記移動先装置は、
上記外部装置に移動されたコンテンツにアクセスするための外部リンク情報を記憶する外部リンク情報記憶手段と、
上記コンテンツ管理装置から、上記コンテンツの送信要求を受信したときに、上記外部リンク情報を用いて上記コンテンツを上記外部装置から取得し、取得した上記コンテンツを上記コンテンツ管理装置へ送信するコンテンツ送信手段とを備える
ことを特徴とするコンテンツ管理システム。
【請求項１４】
請求項１から６の何れか１項に記載のコンテンツ管理装置と、
上記コンテンツ管理装置が管理対象とするコンテンツの移動先である移動先装置と、
上記移動先装置に移動された上記コンテンツのさらなる移動先である外部装置と、
を含むコンテンツ管理システムであって、
上記移動先装置は、
上記外部装置に移動されたコンテンツにアクセスするための外部リンク情報を記憶する外部リンク情報記憶手段と、
上記コンテンツ管理装置から、上記コンテンツの送信要求を受信したときに、上記外部リンク情報を上記コンテンツ管理装置へ送信するリンク情報送信手段とを備える
ことを特徴とするコンテンツ管理システム。
【請求項１５】
請求項１から６の何れか１項に記載のコンテンツ管理装置と、
上記コンテンツ管理装置が管理対象とするコンテンツの移動先である移動先装置と
を含むコンテンツ管理システムであって、
上記移動先装置は、
上記コンテンツ管理装置から受信したコンテンツを削除するコンテンツ削除手段と、
上記コンテンツの削除を上記コンテンツ管理装置へ通知するコンテンツ削除通知手段と、を備え、
上記コンテンツ管理装置は、
上記移動先装置から上記コンテンツの削除が通知された場合、上記コンテンツにアクセスするためのリンク情報を削除するリンク情報削除手段を備える
ことを特徴とするコンテンツ管理システム。
【発明の詳細な説明】
【技術分野】
【０００１】
本発明は、他の機器に移動させたコンテンツを管理する技術に関する。
【背景技術】
【０００２】
近年、内蔵または外付けのＨＤＤ（Hard Disk Drive）に録画のできるテレビジョン受像機（以下、単にテレビと呼ぶ）やレコーダが普及している。このような機器では、ＨＤＤの記録容量には限りがあるため、記録容量が一杯になる前に、録画コンテンツを消去したり、他の記録装置や記録媒体等に移動したりする必要がある。
【０００３】
また、ＨＤＤへの録画を行うことができると共に、ＤＬＮＡ（Digital Living Network Alliance）に対応しているテレビやレコーダも普及している。このような機器では、ＨＤＤに記録したコンテンツをネットワークに接続されている他の機器に容易に移動させることができる。
【０００４】
そして、ＤＬＮＡのサーバー（ＤＭＳ：Digital Media Server）として機能するＮＡＳ（Network Attached Storage）等の機器に移動させた場合には、移動後もその機器からコンテンツを転送させることにより、コンテンツの視聴が可能となる。
【０００５】
しかしながら、他の機器にコンテンツを移動させてしまうと、元のＨＤＤからはそのコンテンツが消えてしまうため、移動先を覚えていなければ、そのコンテンツを再生することができないという問題がある。つまり、ユーザは、移動させたコンテンツを再生する際には、そのコンテンツの移動先の機器を探して、これに接続し、さらにこの機器が格納しているコンテンツの中から所望のコンテンツを探すという煩雑な操作を強いられる。
【０００６】
このような問題を解決するための技術として、例えば下記の特許文献１が挙げられる。下記特許文献１には、あるＨＤＤレコーダに録画されたコンテンツを、他のＨＤＤレコーダにダビングしたときに、このコンテンツのオブジェクトＩＤを用いてライブラリ情報を生成することが記載されている。
【０００７】
このようなライブラリ情報を生成して記憶しておくことにより、コンテンツの移動後もライブラリ情報を参照することによって、そのコンテンツの存在を認識することができる。また、ライブラリ情報に含まれるオブジェクトＩＤを用いて、コンテンツの保存先を特定することができるので、このコンテンツにアクセスすることも可能になる。
【先行技術文献】
【特許文献】
【０００８】
【特許文献１】特開２００７−１５８４４４号公報（２００７年６月２１日公開）
【発明の概要】
【発明が解決しようとする課題】
【０００９】
しかしながら、上述のような従来技術では、移動したコンテンツをオブジェクトＩＤで管理しているが、オブジェクトＩＤではそのコンテンツに直接アクセスすることはできないため、当該コンテンツへのアクセスに必要な処理が煩雑であるという問題がある。
【００１０】
すなわち、特許文献１の技術では、まず、オブジェクトＩＤを用いて当該オブジェクトＩＤを持つオブジェクトの属性情報を取得し、この属性情報から再生データを取得するためのＵＲＬを取り出している。そして、このＵＲＬを用いることにより、ようやく再生データ（コンテンツ）を受信し、再生することが可能になる。
【００１１】
本発明は、上記の問題点に鑑みてなされたものであり、その目的は、他の機器に移動させたコンテンツに対するアクセスを容易にするコンテンツ管理装置等を提供することにある。
【課題を解決するための手段】
【００１２】
上記の課題を解決するために、本発明のコンテンツ管理装置は、コンテンツの管理を行うコンテンツ管理装置であって、管理対象のコンテンツを移動先装置に移動させる際に、該移動先装置から該コンテンツの移動先を指定する移動先指定情報を取得する移動先指定情報取得手段と、上記移動先指定情報取得手段が取得した上記移動先指定情報を、上記コンテンツにアクセスするためのリンク情報として記憶するリンク情報記憶手段と、を備えていることを特徴としている。
【００１３】
また、本発明のコンテンツ管理方法は、上記の課題を解決するために、コンテンツの管理を行うコンテンツ管理装置によるコンテンツ管理方法であって、管理対象のコンテンツを移動先装置に移動させる際に、該移動先装置から該コンテンツの移動先を指定する移動先指定情報を取得する移動先指定情報取得ステップと、上記移動先指定情報取得ステップで取得した上記移動先指定情報を、上記コンテンツにアクセスするためのリンク情報として記憶するリンク情報記憶ステップと、を含むことを特徴としている。
【００１４】
上記の構成によれば、管理対象のコンテンツを移動先装置に移動させる際に、該移動先装置から取得した移動先指定情報を、上記コンテンツにアクセスするためのリンク情報として記憶する。
【００１５】
ここで、この移動先指定情報は、移動先装置が指定した移動先を示すものである。したがって、上記の構成によれば、従来技術のようにオブジェクトＩＤからコンテンツの格納先アドレスを特定する等の煩雑な処理を行うことなく、リンク情報として記憶した移動先指定情報をそのまま用いて当該コンテンツに容易にアクセスすることができるという効果を奏する。
【００１６】
また、上記移動先指定情報取得手段は、管理対象のコンテンツを移動させる際に、上記移動先装置から該移動先装置を識別する識別情報をさらに取得し、上記リンク情報記憶手段は、上記リンク情報の移動先指定情報と、上記移動先指定情報取得手段が取得した上記識別情報とを対応付けて記憶することが好ましい。
【００１７】
上記の構成によれば、移動先装置から該移動先装置を識別する識別情報を取得し、この識別情報をリンク情報の移動先指定情報と対応付けて記憶する。これにより、仮に移動先指定情報によるコンテンツへのアクセスに失敗した場合であっても、識別情報を用いて移動先装置を検出することにより、その移動先装置が格納する当該コンテンツへのアクセスが可能になる。
【００１８】
また、上記移動先指定情報は、上記移動先装置のネットワーク上のアドレスを含み、上記コンテンツ管理装置は、上記リンク情報の移動先指定情報を用いたアクセスに失敗した場合に、当該移動先指定情報に対応付けられた識別情報を用いて移動先装置を検出し、検出した移動先装置のネットワーク上のアドレスを取得するアドレス取得手段を備え、上記リンク情報記憶手段は、上記アドレス取得手段が取得したアドレスで上記移動先指定情報のアドレス部分を置換して、該移動先指定情報を更新することが好ましい。
【００１９】
ここで、ネットワークによっては、そのネットワーク上の機器のアドレスが変化することがある。このため、移動先装置から移動先指定情報を取得した後で、その移動先装置のネットワーク上のアドレスが変更されることも考えられる。このような場合には、取得した移動先指定情報によるコンテンツへのアクセスが不能となる。
【００２０】
そこで、上記の構成によれば、移動先指定情報を用いたアクセスに失敗した場合に、当該移動先指定情報に対応付けられた識別情報を用いて移動先装置を検出し、検出した移動先装置のアドレスを取得する。そして、取得したアドレスで上記移動先指定情報のアドレス部分を置換して、該移動先指定情報を更新する。
【００２１】
したがって、上記の構成によれば、移動先装置のネットワーク上のアドレスが変更されたことにより、当初の移動先指定情報によるアクセスが不能となった場合にも、更新後の移動先指定情報によりコンテンツにアクセスすることが可能になる。
【００２２】
また、上記コンテンツ管理装置は、更新後の移動先指定情報を用いたアクセスにも失敗した場合に、上記アドレス取得手段が取得したアドレスを用いて移動先装置にアクセスし、該移動先装置が格納する各コンテンツをユーザに提示するための情報を取得する選択用情報取得手段を備えていることが好ましい。
【００２３】
また、移動先装置から移動先指定情報を取得した後で、その移動先装置において、コンテンツの格納先や管理状態が変化することや、そもそも移動先装置においてコンテンツが移動先指定情報で管理されていないことも想定される。このような場合、更新後の移動先指定情報を用いてもそのコンテンツにアクセスすることができない。
【００２４】
そこで、上記の構成によれば、更新後の移動先指定情報を用いたアクセスにも失敗した場合には、取得したアドレスを用いて移動先装置にアクセスし、該移動先装置が格納する各コンテンツをユーザに提示するための情報を取得する。
【００２５】
これにより、移動先装置が格納する各コンテンツをユーザに提示することができるので、ユーザは提示されたフォルダから所望のコンテンツを選択し、これにアクセスすることができる。
【００２６】
なお、移動先装置が格納する各コンテンツをユーザに提示するための情報は、例えば移動先装置がコンテンツを格納するコンテナのアドレスであってもよいし、移動先装置が管理するコンテンツのリストであってもよい。
【００２７】
また、上記コンテンツ管理装置は、上記リンク情報記憶手段がリンク情報を記憶したコンテンツについて、該コンテンツがリンク情報でアクセス可能なコンテンツであることを示すリンクアクセス情報を記憶するコンテンツ管理手段と、上記リンクアクセス情報が記憶されているコンテンツがアクセス対象として選択されたときに、上記リンク情報を用いて当該コンテンツにアクセスするアクセス手段と、を備えていることが好ましい。
【００２８】
上記の構成によれば、リンク情報を記憶したコンテンツについて、該コンテンツがリンク情報でアクセス可能なコンテンツであることを示すリンクアクセス情報を記憶する。そして、リンクアクセス情報が記憶されているコンテンツがアクセス対象として選択されたときに、リンク情報を用いて当該コンテンツにアクセスする。また、リンクアクセス情報が記憶されていないコンテンツがアクセス対象として選択されたときには、通常通り（リンク情報を用いずに）そのコンテンツへのアクセスが行われる。
【００２９】
つまり、上記の構成によれば、リンクアクセス情報が記憶されているか否かによって、コンテンツへのアクセスの方法が決定される。このため、リンクアクセス情報が記憶されている移動後のコンテンツと、リンクアクセス情報が記憶されていない未移動のコンテンツとで、コンテンツを選択するための処理については共通化することができる。
【００３０】
したがって、上記の構成によれば、コンテンツをユーザに選択させるための表示画面も同様のものを用いることができる。これにより、ユーザは、移動後のコンテンツも移動前と同様の感覚で選択し、アクセスすることができる。
【００３１】
また、上記コンテンツ管理装置は、管理対象のコンテンツが上記移動先装置へ移動される毎に、該移動先から取得した上記移動先指定情報を記憶する移動先指定情報記憶部と、上記コンテンツへアクセスするためのリンク情報が削除された場合、上記移動先情報記憶部に記憶されている上記移動先指定情報を用いて、上記リンク情報を復元する復元手段と、をさらに備えることが好ましい。
【００３２】
上記の構成によれば、コンテンツ管理装置においてコンテンツへのリンク情報が削除されてしまった場合でも、コンテンツ管理装置を、そのコンテンツへのアクセス可能な状態へ容易に復元することができる。
【００３３】
なお、上記コンテンツ管理装置は、コンピュータによって実現してもよく、この場合には、コンピュータを上記コンテンツ管理装置の各手段として動作させることにより、上記コンテンツ管理装置をコンピュータにて実現させる制御プログラム、及びそれを記録したコンピュータ読み取り可能な記録媒体も本発明の範疇に入る。
【００３４】
また、上記コンテンツ管理装置が管理対象とするコンテンツの移動先である移動先装置は、上記コンテンツ管理装置の上記移動先指定情報取得手段に取得させた上記移動先指定情報と、当該コンテンツの格納先を示す格納先情報とを対応付けた対応情報を記憶する対応情報記憶手段と、上記コンテンツ管理装置から、上記移動先指定情報によるコンテンツへのアクセスを受けたときに、上記対応情報記憶手段が記憶した対応情報を参照して、当該移動先指定情報に対応付けられた格納先情報を特定する格納先情報特定手段とを備えていることを特徴としている。
【００３５】
上記の構成によれば、移動先指定情報と格納先情報とを対応付けた対応情報を記憶する。そして、移動先指定情報によるコンテンツへのアクセスを受けたときに、記憶した対応情報を参照して移動先指定情報に対応付けられた格納先情報を特定する。
【００３６】
したがって、移動先装置は、特定した格納先情報を用いてアクセスされたコンテンツを特定することができる。このため、コンテンツ管理装置は、移動先装置が格納先情報を用いてコンテンツを管理するものであっても、移動先指定情報でコンテンツにアクセスすることができる。
【００３７】
また、上記コンテンツ管理装置を備えたテレビジョン受像機であれば、上記コンテンツ管理装置と同様の効果を奏する。
【００３８】
また、本発明のコンテンツ管理システムは、上記コンテンツ管理装置と、上記コンテンツ管理装置が管理対象とするコンテンツの移動先である移動先装置とを含むコンテンツ管理システムであって、上記移動先装置は、上記コンテンツ管理装置から受信した上記コンテンツのコンテンツ名を変更するコンテンツ名変更手段と、上記コンテンツ名の変更を上記コンテンツ管理装置へ通知するコンテンツ名変更通知手段と、を備え、上記コンテンツ管理装置は、上記移動先装置から上記コンテンツ名の変更が通知された場合、上記コンテンツ名の変更を、上記コンテンツにアクセスするためのリンク情報に記されているコンテンツ名に反映するコンテンツ名変更反映手段を備えることを特徴とする。
【００３９】
上記の構成によれば、移動先装置に移動されたコンテンツのコンテンツ名が変更されるような場合であっても、コンテンツ管理装置において管理される当該コンテンツのコンテンツ名と、移動先装置において管理される当該コンテンツのコンテンツ名とを、容易に同期させることができる。
【００４０】
また、本発明のコンテンツ管理システムは、上記コンテンツ管理装置と、上記コンテンツ管理装置が管理対象とするコンテンツの移動先である移動先装置と、上記移動先装置に移動された上記コンテンツのさらなる移動先である外部装置と、を含むコンテンツ管理システムであって、上記移動先装置は、上記外部装置に移動されたコンテンツにアクセスするための外部リンク情報を記憶する外部リンク情報記憶手段と、上記コンテンツ管理装置から、上記コンテンツの送信要求を受信したときに、上記外部リンク情報を用いて上記コンテンツを上記外部装置から取得し、取得した上記コンテンツを上記コンテンツ管理装置へ送信するコンテンツ送信手段とを備えることを特徴とする。
【００４１】
また、本発明のコンテンツ管理システムは、上記コンテンツ管理装置と、上記コンテンツ管理装置が管理対象とするコンテンツの移動先である移動先装置と、上記移動先装置に移動された上記コンテンツのさらなる移動先である外部装置と、を含むコンテンツ管理システムであって、上記移動先装置は、上記外部装置に移動されたコンテンツにアクセスするための外部リンク情報を記憶する外部リンク情報記憶手段と、上記コンテンツ管理装置から、上記コンテンツの送信要求を受信したときに、上記外部リンク情報を上記コンテンツ管理装置へ送信するリンク情報送信手段とを備えることを特徴とする。
【００４２】
上記の構成によれば、例えば、コンテンツ管理装置のユーザが知らないうちに、コンテンツが移動先装置から外部装置へ移動されてしまった場合であっても、コンテンツ管理装置は、特別な操作をユーザに行わせることなく、直接的にまたは間接的に、外部装置からそのコンテンツを取得することができる。
【００４３】
また、本発明のコンテンツ管理システムは、上記コンテンツ管理装置と、上記コンテンツ管理装置が管理対象とするコンテンツの移動先である移動先装置とを含むコンテンツ管理システムであって、上記移動先装置は、上記コンテンツ管理装置から受信したコンテンツを削除するコンテンツ削除手段と、上記コンテンツの削除を上記コンテンツ管理装置へ通知するコンテンツ削除通知手段と、を備え、上記コンテンツ管理装置は、上記移動先装置から上記コンテンツの削除が通知された場合、上記コンテンツにアクセスするためのリンク情報を削除するリンク情報削除手段を備えることを特徴とする。
【００４４】
上記の構成によれば、コンテンツ管理装置の指示によらずに、移動先装置においてコンテンツが削除された場合でも、コンテンツ管理装置が有するコンテンツリストの状態と、移動先装置におけるコンテンツの格納状態とを、容易に同期させることができる。よって、例えば、移動先装置からコンテンツが削除されているにも関わらず、コンテンツ管理装置からこのコンテンツを要求してしまう等といった問題が生じることはない。
【発明の効果】
【００４５】
以上のように、本発明のコンテンツ管理装置は、管理対象のコンテンツを移動先装置に移動させる際に、該移動先装置から該コンテンツの移動先を指定する移動先指定情報を取得する移動先指定情報取得手段と、上記移動先指定情報取得手段が取得した上記移動先指定情報を、上記コンテンツにアクセスするためのリンク情報として記憶するリンク情報記憶手段と、を備えている構成である。
【００４６】
また、以上のように、本発明のコンテンツ管理方法は、管理対象のコンテンツを移動先装置に移動させる際に、該移動先装置から該コンテンツの移動先を指定する移動先指定情報を取得する移動先指定情報取得ステップと、上記移動先指定情報取得ステップで取得した上記移動先指定情報を、上記コンテンツにアクセスするためのリンク情報として記憶するリンク情報記憶ステップと、を含む構成である。
【００４７】
したがって、従来技術のようにオブジェクトＩＤからコンテンツの格納先アドレスを特定する等の煩雑な処理を行うことなく、リンク情報として記憶した移動先指定情報をそのまま用いて当該コンテンツに容易にアクセスすることが可能となるという効果を奏する。
【図面の簡単な説明】
【００４８】
【図１】本発明の一実施形態を示すものであり、記録再生装置の要部構成を示すブロック図である。
【図２】上記記録再生装置が表示する、コンテンツを他の機器に移動させる前の録画リスト表示画面の一例を示す図である。
【図３】上記記録再生装置が表示する、コンテンツを他の機器に移動させた後の録画リスト表示画面の一例を示す図である。
【図４】上記記録再生装置が録画リストの表示に使用するリスト表示用情報の一例を示す図である。
【図５】上記記録再生装置が他の機器に移動させたコンテンツにアクセスするために使用するリンク情報の一例を示す図である。
【図６】上記記録再生装置がコンテンツを移動させる対象となる機器である移動先装置の要部構成を示すブロック図である。
【図７】上記記録再生装置がコンテンツを移動させる対象となる他の移動先装置の要部構成を示すブロック図である。
【図８】上記記録再生装置がコンテンツを移動させるために実行する移動処理の一例を示すフローチャートである。
【図９】ダビング時における上記記録再生装置と上記移動先装置との通信を示す図である。
【図１０】上記通信で送信される“CreateObject Request”の一例を示す図である。
【図１１】上記“CreateObject Request”に対する応答として送信される“CreateObject Response”の一例を示す図である。
【図１２】上記記録再生装置が、他の機器に移動させたコンテンツを再生する際に実行する再生処理の一例を示すフローチャートである。
【図１３】上記移動先装置が上記記録再生装置の要求に応じて実行するコンテンツ送信処理の一例を示すフローチャートである。
【図１４】上記他の移動先装置が上記記録再生装置の要求に応じて実行するコンテンツ送信処理の一例を示すフローチャートである。
【図１５】本発明の他の実施形態にかかる記録再生装置および移動先装置の要部構成を示すブロック図である。
【図１６】上記記録再生装置および移動先装置を含むコンテンツ管理システムによるコンテンツ名変更処理の一例を示すフローチャートである。
【図１７】上記コンテンツ名変更処理によるコンテンツリストの変更例を示す図である。
【図１８】上記記録再生装置の要部構成を示すブロック図である。
【図１９】上記記録再生装置によるコンテンツリスト復元処理の一例を示すフローチャートである。
【図２０】ダビング履歴情報記憶部によって記憶されるダビング履歴情報の一例を示す。
【図２１】上記記録再生装置および上記移動先装置を含む各装置の要部構成を示すブロック図である。
【図２２】上記コンテンツ管理システムによるコンテンツ取得制御処理の第１例を示すフローチャートである。
【図２３】上記コンテンツ管理システムによるコンテンツ取得制御処理の第２例を示すフローチャートである。
【図２４】上記記録再生装置によるコンテンツリストの表示例を示す図である。
【図２５】上記記録再生装置および上記移動先装置の要部構成を示すブロック図である。
【図２６】上記コンテンツ管理システムによるコンテンツ削除処理の一例を示すフローチャートである。
【図２７】上記コンテンツ削除処理によるコンテンツリストへの反映例を示す図である。
【発明を実施するための形態】
【００４９】
〔実施の形態１〕
以下、本発明の実施の形態について、図１〜図１４に基づいて詳細に説明する。
【００５０】
〔機能概要〕
本実施形態の記録再生装置は、該装置内に記録されたコンテンツを、他の機器に移動させた後も、該装置内に記録されていたときと同様に参照し、再生することができる。これについて、図２および３に基づいて説明する。図２は、コンテンツを他の機器に移動させる前の録画リスト表示画面の一例を示し、図３は、移動させた後の録画リスト表示画面の一例を示す図である。
【００５１】
図２の例では、録画コンテンツのリストである録画リストと、該リストから選択されたコンテンツに対して行うことのできる処理を示す機能メニューとが表示されている。このうち、録画リストには、録画コンテンツのタイトル、録画後未再生であることを示す「ＮＥＷ」の文字、録画を行った日時、録画時間、録画モード、ダビング可能な残り回数が表示されている。
【００５２】
本実施形態の記録再生装置では、この録画リストから選択したコンテンツを、機能メニューからの操作によって他の機器にダビングし、ダビング後、自装置内からコンテンツを消去すること、すなわちコンテンツの他の機器への移動（ムーブ）を行うことができる。なお、ここでは、移動先が、コンテンツサーバ機能を有する記録装置（例えばＮＡＳ）であるとする。
【００５３】
ここで、図２の録画リストの４番目と８番目のコンテンツを移動する。そして、この後で録画リストを表示させると、図３のような画面が表示される。図３の例では、移動させたコンテンツのタイトルが、移動させる前と同様に表示されている。また、これらのコンテンツについては、録画モードおよびダビング可能な残り回数の代わりに、ネットワーク機器に移動されたことを示す「ネットワーク」の文字が表示されている。これらのコンテンツについても、他のコンテンツと同様に、機能メニューから選択して再生等を行うことができる。
【００５４】
このように、他の機器に移動したコンテンツを移動前と同様に扱うことができるようにすることにより、ユーザの利便性を高めることができる。詳細は後述するが、本実施形態の記録再生装置は、これを実現するためのコンテンツ管理方法に主な特徴がある。
【００５５】
なお、コンテンツ移動後の録画リストの表示態様は、図３の例に限られず、例えば移動されたコンテンツは、装置内に記録されているコンテンツとは別のリストで表示してもよい。また、移動済みのコンテンツが検索されたときに、再生対象コンテンツの中から移動済みのコンテンツのみを抽出してリスト表示してもよい。
【００５６】
〔記録再生装置の構成〕
本実施形態にかかる記録再生装置の構成を図１に基づいて説明する。図１は、記録再生装置（コンテンツ管理装置）１の要部構成を示すブロック図である。また、同図では、記録再生装置１に記録されたコンテンツの移動先である移動先装置２および３についても図示している。さらに、記録再生装置１からの映像を表示し、音声を出力する表示装置４、および記録再生装置１を操作するリモコン５についても図示している。
【００５７】
記録再生装置１は、放送コンテンツを記録し、記録したコンテンツを再生する機能を有する装置である。図示のように、記録再生装置１は、放送受信部１０、映像・音声デコーダ１１、映像・音声出力部１２、コンテンツ記録部１３、入力部１４、制御部１５、ネットワーク接続部１６、および記憶部１７を備えている。
【００５８】
放送受信部１０は、アンテナに接続されており、アンテナで受信した放送波を受信し、復調して、映像・音声デコーダ１１に出力する。
【００５９】
映像・音声デコーダ１１は、放送受信部１０から受信したデータをデコードして映像データおよび音声データを生成し、これらを映像・音声出力部１２に送信する。
【００６０】
映像・音声出力部１２は、映像・音声デコーダ１１から受信したデータを外部の映像・音声出力機能を備えた装置（ここでは表示装置４）に送信して、映像を表示させ、音声を出力させる。
【００６１】
コンテンツ記録部１３は、コンテンツを記録する記録装置である。具体的には、映像・音声デコーダ１１がデコードして生成した映像データおよび音声データをコンテンツとして記録する。無論、映像・音声デコーダ１１がデコードして生成したコンテンツに限られず、他の機器や記録媒体に格納されたコンテンツや、通信回線を介して配信されるコンテンツを記録することも可能である。コンテンツ記録部１３は、例えばＨＤＤで構成することができる。
【００６２】
入力部１４は、ユーザの入力操作を受け付けて、受け付けた入力操作に対応する制御信号を制御部１５に送信する。具体的には、入力部１４は、図示のようにリモコン５から送信される信号を受信し、受信した信号に対応する制御信号を生成して制御部１５に送信する。
【００６３】
制御部１５は、記録再生装置１の機能を統括して制御するものであり、コンテンツ再生部２０、ダビング処理部２１、コンテンツ管理部（コンテンツ管理手段、アクセス手段、アドレス取得手段、選択用情報取得手段）２２、ダビング情報管理部（移動先指定情報取得手段）２３、およびリンク情報管理部（リンク情報記憶手段）２４を含む。
【００６４】
コンテンツ再生部２０は、コンテンツ管理部２２が管理しているコンテンツを再生する。具体的には、コンテンツ記録部１３に記録されているコンテンツ、およびコンテンツ記録部１３から他の機器（例えば移動先装置２、３）に移動されたコンテンツを再生し、その映像および音声を映像・音声出力部１２に送信する。これにより、表示装置４からコンテンツの映像および音声が出力される。
【００６５】
ダビング処理部２１は、入力部１４が受け付けたユーザ操作に従ってコンテンツのダビングを開始する。また、ダビングが正常終了したときにはその旨を、エラー終了したときにはその旨を表示する。なお、ダビングとは、コンテンツをコピーまたは移動することを指す。
【００６６】
コンテンツ管理部２２は、コンテンツを管理するためのものである。具体的には、記憶部１７のコンテンツ管理情報３０およびリスト表示用情報３１を用いて、コンテンツ記録部１３に記録されているコンテンツ、およびコンテンツ記録部１３から他の機器（例えば移動先装置２、３）に移動されたコンテンツを管理する。
【００６７】
ダビング情報管理部２３は、ダビング処理部２１からダビング開始が通知されたときに、コンテンツ記録部１３から他の機器（例えば移動先装置２、３）にコンテンツをダビングする処理を行う。ダビング情報管理部２３が行う処理については、後に詳述する。
【００６８】
リンク情報管理部２４は、コンテンツ記録部１３から他の機器（例えば移動先装置２、３）に移動されたコンテンツにアクセスするためのリンク情報３２を生成し、管理する。リンク情報３２の詳細は後述する。
【００６９】
ネットワーク接続部１６は、ネットワークに接続して他の機器（例えば移動先装置２、３）と通信するためのものである。ここでは、記録再生装置１はＤＬＮＡ対応機器であって、ネットワーク接続部１６を介して家庭内ＬＡＮに接続することを想定しており、ネットワーク接続部１６はＤＬＮＡ規格に準拠した通信処理を行う。なお、ネットワーク接続部１６は、録画したコンテンツの他の機器との送受信に耐えるようなものであればよく、これに限られない。また、ネットワーク接続部１６は、ネットワークに有線接続するものであってもよいし、無線接続するものであってもよい。
【００７０】
記憶部１７は、制御部１５が使用するデータを格納するものであり、記憶部１７には、コンテンツ管理情報３０、リスト表示用情報３１、およびリンク情報３２が格納されている。
【００７１】
コンテンツ管理情報３０は、コンテンツを管理するための情報である。具体的には、コンテンツ管理情報３０には、コンテンツ記録部１３に記録されている各コンテンツについて、そのコンテンツのコンテンツＩＤ、ファイル名等の属性情報が記述されている。これらの属性情報は、コンテンツの属性が変わったときに、コンテンツ管理部２２によって更新される。
【００７２】
なお、従来の一般的な記録再生装置では、他の機器にコンテンツを移動させることによって記録部から消去されたコンテンツについては、その管理情報も消去される。しかし、記録再生装置１では、他の機器に移動させることによってコンテンツ記録部１３から消去されたコンテンツについては、コンテンツ管理情報３０が維持される。
【００７３】
リスト表示用情報３１は、録画リストを表示するための情報である。コンテンツ管理部２２は、リスト表示用情報３１を参照することによって、図２、図３に示したような録画リストを表示する。
【００７４】
リスト表示用情報３１は、例えば図４のようなデータであってもよい。図４は、リスト表示用情報３１の一例を示す図である。図示のリスト表示用情報３１は、コンテンツを管理するために各コンテンツに一意に割り当てられたＩＤ、コンテンツのタイトル、ダビング可能回数、録画日時、および他の機器に移動されたコンテンツであるか否かを示すネットワーク移動フラグ（リンクアクセス情報）が対応付けられた情報である。なお、これらの情報の他にも、図２、図３に示したような録画リストを表示するために必要な情報（録画後、視聴されたか否かを示す情報や録画モードを示す情報等）が含まれているが、図示を省略している。
【００７５】
コンテンツ管理部２２は、これらの情報に基づいて、図２、図３に示したような録画リストを表示する。また、表示した録画リストから、再生するコンテンツが選択されたときには、選択されたコンテンツのＩＤから、当該コンテンツのコンテンツ記録部１３における格納先を特定し、これによりコンテンツ再生部２０による再生が行われる。
【００７６】
リスト表示用情報３１は、ネットワーク移動フラグを含む点が従来にはない特徴点である。コンテンツ管理部２２は、コンテンツ記録部１３に記録されているコンテンツについてはネットワーク移動フラグを０とし、他の機器に移動させたコンテンツについては１として管理する。そして、録画リストを表示する際にはこのリスト表示用情報３１を参照し、ネットワーク移動フラグが１のコンテンツについては、図３の例のように、他の機器に移動させたコンテンツであることを表示する。また、詳細は後述するが、ネットワーク移動フラグが１のコンテンツが録画リストから選択された場合には、リンク情報３２を用いて選択されたコンテンツにアクセスを行う。つまり、値が１のネットワーク移動フラグは、リンク情報３２でアクセス可能なコンテンツであることを示す情報である。なお、ネットワーク移動フラグは、録画リストの表示の際に参照できるようになっていればよく、リスト表示用情報３１と別データとして管理されていてもよい。
【００７７】
リンク情報３２は、他の機器に移動させたコンテンツにアクセスするための情報であり、リンク情報管理部２４により生成され、必要に応じて更新される。リンク情報３２は、コンテンツを他の機器に移動させる際に、その移動先の機器から指定される移動先指定情報を含む点が従来にはない特徴の１つである。
【００７８】
リンク情報３２は、例えば図５のようなデータであってもよい。図５は、リンク情報３２の一例を示す図である。図示のリンク情報３２は、コンテンツを管理するために各コンテンツに一意に割り当てられたＩＤ、移動先指定情報、移動先の機器のＭＡＣアドレス、および移動先の機器の名称が対応付けられた情報である。
【００７９】
移動先指定情報は、図示のようにＵＲＩ（Uniform Resource Indicator）の形式である。したがって、この移動先指定情報さえあれば、当該コンテンツにアクセスすることが可能である。すなわち、録画リストから他の機器に移動させたコンテンツが選択されたときには、リスト表示用情報３１からそのコンテンツのＩＤを特定し、このＩＤでリンク情報３２内を検索する。そして、検出されたＩＤに対応付けられている移動先指定情報を用いることによって、このコンテンツにアクセスすることができる。
【００８０】
この移動先指定情報は、コンテンツの移動の際に、移動先の機器から受信するものであり、具体的にはImportURIである。このように、移動先の機器から受信したImportURIをそのまま用いることにより、リンク情報３２を簡易な処理で生成することができると共に、このリンク情報３２を用いたコンテンツへのアクセスも極めてスムーズに行うことができるという利点がある。
【００８１】
また、図５のリンク情報３２には、移動先の機器を識別する識別情報として、ＭＡＣアドレスと機器名とが含まれている。これにより、移動先の機器に割り当てられたＩＰアドレスが変更された場合等に、移動先指定情報でコンテンツにアクセスができなくなったとしても、これらの情報を用いることでアクセスが確保される。
【００８２】
〔移動先装置の構成〕
続いて、図１の移動先装置２および３の構成を図６および図７に基づいてそれぞれ説明する。図６は、移動先装置２の要部構成を示すブロック図であり、図７は、移動先装置３の要部構成を示すブロック図である。
【００８３】
〔移動先装置２〕
移動先装置２は、上述のように、記録再生装置１のコンテンツのダビング先の１つである。図６に示すように、移動先装置２は、ネットワーク接続部４０、記憶部４１、制御部４２、およびコンテンツ記録部４３を備えている。
【００８４】
ネットワーク接続部４０は、ネットワークに接続して他の機器と通信するためのものである。記録再生装置１との通信は、ネットワーク接続部４０で行うため、ネットワーク接続部４０は、ネットワーク接続部１６と通信およびコンテンツのアップロードおよびダウンロードが可能なものとする。
【００８５】
記憶部４１は、制御部４２が使用するデータを格納するものである。また、記憶部４１にはコンテンツ管理情報６０が格納されている。コンテンツ管理情報６０は、コンテンツ管理部５１がコンテンツ記録部４３に格納されているコンテンツを管理するための情報であり、その内容はコンテンツ管理情報３０と同様である。
【００８６】
制御部４２は、移動先装置２の機能を統括して制御するものであり、情報管理部５０とコンテンツ管理部５１とを含む。
【００８７】
情報管理部５０は、移動先装置２におけるコンテンツの送受信を制御する。具体的には、記録再生装置１から送信されたコンテンツのコンテンツ記録部４３への記録や、コンテンツ記録部４３に記録されているコンテンツの記録再生装置１への送信等を制御する。情報管理部５０の行う処理の詳細は後述する。
【００８８】
コンテンツ管理部５１は、コンテンツ管理情報６０を用いてコンテンツ記録部４３に格納されているコンテンツを管理する。具体的には、情報管理部５０の指示に従って、コンテンツ記録部４３に格納されているコンテンツの検索を行う。また、新たにコンテンツ記録部４３にコンテンツが記録されたときや、コンテンツ記録部４３からコンテンツが消去されたときに、それに応じてコンテンツ管理情報６０を更新する。
【００８９】
なお、コンテンツ管理部５１は、コンテンツの格納先を移動先指定情報、すなわちImportURIで管理している。つまり、他の機器からコンテンツの記録指示を受信し、この指示を受け入れるときには、当該他の機器に情報管理部５０がImportURIを送信し、このImportURIで特定される格納先にコンテンツを記録する。そして、記録後のコンテンツへのアクセスは、ImportURIと全く同一の格納先情報（ContentURI）を用いて行う。
【００９０】
コンテンツ記録部４３は、コンテンツを記録する記録装置である。記録再生装置１が移動先装置２にダビングを行った場合、ダビングしたコンテンツはコンテンツ記録部４３に記録される。
【００９１】
コンテンツ管理情報６０は、上述のように、コンテンツ記録部４３に格納されているコンテンツを管理するための情報である。コンテンツ管理情報６０には、コンテンツ記録部４３に記録されている各コンテンツについて、そのコンテンツのコンテンツＩＤ、ファイル名等の属性情報が記述されている。
【００９２】
〔移動先装置３〕
移動先装置３も移動先装置２と同様に、記録再生装置１のコンテンツのダビング先の１つである。移動先装置２は、格納しているコンテンツの移動先指定情報（ImportURI）と格納先情報（ContentURI）が同一であるが、移動先装置３は、格納しているコンテンツの移動先指定情報（ImportURI）と格納先情報（ContentURI）とが異なる点で相違している。つまり、移動先装置２は記録再生装置１に送信した移動先指定情報（ImportURI）と同じ格納先情報（ContentURI）でコンテンツを管理するが、移動先装置３は異なる格納先情報（ContentURI）でコンテンツを管理する。
【００９３】
図７に示すように、移動先装置３は、制御部４２が格納先情報変換部（対応情報記憶手段、格納先情報特定手段）５２を備えている点、および記憶部４１にコンテンツ管理情報６０の代わりにコンテンツ管理情報６１が格納されており、移動先／格納先対応情報（対応情報）６２が格納されている点を除けば、移動先装置２と同様の構成を備えている。このため、ここではこれらの相違点について説明する。
【００９４】
格納先情報変換部５２は、コンテンツの記録の際に、記録元の機器（例えば記録再生装置１）に送信した移動先指定情報と、記録されたコンテンツのコンテンツ記録部４３における格納先を示す格納先情報とを対応付けて、移動先／格納先対応情報６２を生成し、記憶部４１に格納する。そして、コンテンツに対し、移動先指定情報を用いたアクセスを受け付けたときに、移動先／格納先対応情報６２を用いて、この移動先指定情報を格納先情報に変換する。なお、移動先／格納先対応情報６２の生成と、これを用いた格納先情報への変換は、別のブロックで行うようにしてもよい。また、格納先情報は、移動先装置３におけるコンテンツの格納先を示すものであればよく、特に限定されないが、ここでは格納先情報がContentURIであるとする。
【００９５】
コンテンツ管理情報６１は、コンテンツが格納先情報で管理されている点が、コンテンツ管理情報６０との相違点である。また、移動先／格納先対応情報６２は、上記のように、移動先指定情報と格納先情報とが対応付けられた情報である。
【００９６】
〔コンテンツ移動処理の流れ〕
次に、記録再生装置１が、コンテンツ記録部１３に記録されているコンテンツを外部の機器に移動させるときに行う移動処理の流れを図８に基づいて説明する。図８は、記録再生装置１が実行する移動処理の一例を示すフローチャートである。なお、移動処理は、例えば図１のリモコン５等によるユーザ操作によって、録画リストから移動対象コンテンツが選択され、さらにその移動先が指定され、移動させることが確定されたときに行われる。
【００９７】
入力部１４からユーザ操作によってコンテンツを移動させることが確定されたことを示す制御信号を受信したときに、ダビング処理部２１は、ダビング情報管理部２３に指示してコンテンツのダビングを開始させる。なお、ここでは移動先として移動先装置２が選択されたとして説明するが、移動先が移動先装置３であっても処理は同様である。
【００９８】
この指示を受けて、ダビング情報管理部２３は、指定された移動先である移動先装置２とネットワーク接続部１６を介した通信を開始する。そして、移動先装置２がダビングの受け入れが可能であることを確認した後、該移動先装置２に移動先を確保するよう要求する（Ｓ１）。また、移動先装置２の機器名およびＭＡＣアドレスを取得する。
【００９９】
ここで、上記要求を受信した移動先装置２は、コンテンツ記録部４３における移動先を確保し、確保した移動先を示す移動先指定情報を記録再生装置１に送信する。そして、ダビング情報管理部２３は、ネットワーク接続部１６を介してこの移動先指定情報を受信する（Ｓ２、移動先指定情報取得ステップ）。
【０１００】
移動先指定情報を受信したダビング情報管理部２３は、受信した移動先指定情報、移動先装置２の機器名、およびＭＡＣアドレスをリンク情報管理部２４に送信する。そして、リンク情報管理部２４は、これらの情報を記憶部１７に記憶する（Ｓ３）。
【０１０１】
また、ダビング情報管理部２３は、移動先装置２へのコンテンツの送信を行う（Ｓ４）。具体的には、ダビング情報管理部２３は、移動対象コンテンツを指定する情報（例えばＩＤ）をコンテンツ管理部２２に送信して、コンテンツ記録部１３内の当該コンテンツを特定させる。そして、特定されたコンテンツをネットワーク接続部１６経由で移動先装置２に送信する。
【０１０２】
コンテンツの送信が終了すると、ダビング情報管理部２３は、ダビングに成功したか否かを判断する（Ｓ５）。具体的には、移動先装置２からダビングに成功した旨の通知を受信した場合に、ダビングに成功したと判断する。また、ダビングに失敗した旨の通知を受信するか、または所定期間内にダビングに成功した旨の通知が受信されなかった場合に、ダビングに失敗したと判断する。
【０１０３】
ここで、ダビングに失敗したと判断した場合（Ｓ５でＮＯ）、ダビング情報管理部２３は、ダビングに失敗した旨をリンク情報管理部２４およびダビング処理部２１に通知する。この通知を受けたリンク情報管理部２４は、Ｓ３で記憶した移動先指定情報、移動先装置２の装置名、およびＭＡＣアドレスを破棄する。また、ダビング処理部２１は、ダビングに失敗した旨を表示装置４に表示させ、これにより移動処理は終了する。
【０１０４】
一方、ダビングに成功したと判断した場合（Ｓ５でＹＥＳ）、ダビング情報管理部２３は、ダビングに成功した旨をリンク情報管理部２４、コンテンツ管理部２２、およびダビング処理部２１に通知する。
【０１０５】
この通知を受けたリンク情報管理部２４は、Ｓ３で記憶した移動先指定情報、移動先装置２の装置名、およびＭＡＣアドレスをリンク情報３２として記憶部１７に記憶する。つまり、リンク情報管理部２４により、ダビングしたコンテンツへのリンク情報３２が生成される（Ｓ７、リンク情報記憶ステップ）。
【０１０６】
また、コンテンツ管理部２２は、コンテンツ記録部１３からダビングしたコンテンツの実体データを消去する（Ｓ８）。さらに、コンテンツ管理部２２は、当該コンテンツについて、リスト表示用情報３１のネットワーク移動フラグ（図４参照）を１に更新する。そして、ダビング処理部２１は、ダビングに成功した旨を表示装置４に表示させ、これにより移動処理は終了する。
【０１０７】
〔コンテンツ移動処理の詳細〕
記録再生装置１および移動先装置２は、何れもＤＬＮＡ対応機器であるから、上記で説明したようなコンテンツ移動処理は、ＤＬＮＡの取り決めに従って行われる。ここでは、コンテンツ移動処理のさらに詳細な内容を図９に基づいて説明する。
【０１０８】
図９は、ダビング時における記録再生装置１と移動先装置２との通信を示す図である。図示のように、記録再生装置１は、まず、移動先装置２に“HTTP GET”を送信して、移動先装置２の機器情報とサービス情報とを取得する。この機器情報には、移動先装置２のＩＰアドレスや装置名等が含まれている。また、サービス情報には、動画像コンテンツのアップロードに対応しているか否かを示す情報等が含まれている。
【０１０９】
これらの情報から、動画像コンテンツのアップロードが可能と判断した場合、記録再生装置１は、アップロード先を確保させる“CreateObject Request”を送信する。この“CreateObject Request”は、例えば図１０に示すようなものであってもよい。図１０は“CreateObject Request”の一例を示す図である。
【０１１０】
図１０の“CreateObject Request”には、任意の移動先を指定する“DLNA.ORG_AnyContainer”との記述が含まれている。また、同図では省略しているが、アップロードするコンテンツの属性情報を示す記述も含まれている。移動先装置２は、これの記述を含む“CreateObject Request”を受信したときには、当該コンテンツのアップロード先を確保する。
【０１１１】
また、移動先装置２は、確保したアップロード先を指定する移動先指定情報としてImportURIを含む、図１１のような“CreateObject Response”を返信する。図１１は“CreateObject Response”の一例を示す図である。
【０１１２】
図１１の“CreateObject Response”には、アップロードされるコンテンツに対して移動先装置２が設定したオブジェクトＩＤが記述されている。また、コンテンツのアップロード先を指定するImportURIが記述されている。そして、図示は省略しているが、これらの他にアップロードを受け付けたコンテンツの属性情報を示す記述も含まれている。
【０１１３】
記録再生装置１は、移動先装置２から受信した“CreateObject Response”のこれらの記述に基づいて、図９に示すような所定の通信を行い、コンテンツを移動先装置２に送信し、ImportURIの示す格納先に格納させる。
【０１１４】
〔再生処理〕
次に、記録再生装置１が外部の機器（ここでは移動先装置２）に移動させたコンテンツを再生するときに行う再生処理の流れを図１２に基づいて説明する。図１２は、記録再生装置１が実行する再生処理の一例を示すフローチャートである。なお、ここでは、ユーザが、図１のリモコン５による操作によって録画リストの表示を指示した後の処理から説明する。
【０１１５】
録画リストの表示が指示されたことを示す制御信号を入力部１４から受信したコンテンツ管理部２２は、記憶部１７からリスト表示用情報３１を読み出す。そして、この情報に基づいて、仮想コンテンツを含むコンテンツリスト（録画リスト）を表示装置４に表示させる（Ｓ１０）。なお、仮想コンテンツとは、外部の機器に移動させたことによりコンテンツ実体がコンテンツ記録部１３から消去されたコンテンツである。
【０１１６】
ここでは、リモコン５による操作によって、録画リストから仮想コンテンツが再生対象として選択されたものとする。そして、コンテンツ管理部２２は、この選択を、入力部１４を介して受け付ける（Ｓ１１）。
【０１１７】
仮想コンテンツの選択を受け付けたコンテンツ管理部２２は、リスト表示用情報３１のネットワーク移動フラグの値から、選択されたコンテンツが仮想コンテンツであることを特定する。そして、リンク情報３２からこのコンテンツに対応する移動先指定情報を読み出し、読み出した移動先指定情報で指定される移動先に、ネットワーク接続部１６を介して、該移動先指定情報を含むコンテンツ要求を送信する（Ｓ１２）。
【０１１８】
移動先指定情報で指定される移動先にコンテンツが存在する場合には、このコンテンツ要求に対してコンテンツが返信され、存在しない場合にはその旨の通知が返信される。このため、コンテンツ管理部２２は、これに基づいてコンテンツが存在するか否かを判断する（Ｓ１３）。
【０１１９】
移動先指定情報で指定される移動先にコンテンツが存在する場合には、移動先の機器からコンテンツが返信されるので、コンテンツ管理部２２は、コンテンツの受信によりコンテンツが存在すると判断する（Ｓ１３でＹＥＳ）。そして、このコンテンツをネットワーク接続部１６からコンテンツ再生部２０に提供し、これにより、コンテンツ再生部２０が受信したコンテンツを再生する（Ｓ１４）。この後、コンテンツの再生が終了することにより、再生処理は終了する。
【０１２０】
一方、移動先指定情報で指定される移動先にコンテンツが存在しない場合には、コンテンツが返信されない。例えば、ダビング時に移動先指定情報を記録再生装置１に送信した後で、移動先の装置のネットワーク上のアドレス（例えばＩＰアドレス）が変わった場合には、このようなことが生じ得る。このため、コンテンツ管理部２２は、コンテンツ要求の送信後、所定時間経過してもコンテンツが受信されない場合には、コンテンツが存在しないと判断する（Ｓ１３でＮＯ）。
【０１２１】
また、移動先指定情報が移動先の機器に受信された場合であっても、ダビング時に記録再生装置１に送信した移動先指定情報とは異なるＵＲＩでこのコンテンツを管理することとなった場合には、この移動先指定情報ではコンテンツが検出されない。この場合には、移動先の機器は、コンテンツが検出されなかったことを示すエラー通知を返信する。このため、エラー通知を受信したときにも、コンテンツが存在しないと判断する（Ｓ１３でＮＯ）。
【０１２２】
これらの場合、コンテンツ管理部２２は、リンク情報３２において移動先指定情報に対応付けられているＭＡＣアドレスを有する機器を検索する。なお、検索の対象となる機器は、ネットワーク接続部１６を介して接続している全ての機器である。
【０１２３】
移動先装置２が検出されると、コンテンツ管理部２２は、検出した移動先装置２と通信を行い、該装置のＩＰアドレスを取得し（Ｓ１６）、取得したＩＰアドレスとコンテンツの不存在が確認された移動先指定情報とをリンク情報管理部２４に送信する。
【０１２４】
そして、リンク情報管理部２４は、受信したＩＰアドレスでリンク情報３２を更新する（Ｓ１７）。具体的には、リンク情報管理部２４は、受信したＩＰアドレスで、当該移動先指定情報の、ネットワーク上のアドレスに相当する部分を置き換えることにより更新を行う。例えば、図１１の“CreateObject Response”に含まれるImportURIの場合、“192.168.1.11”の部分が受信したＩＰアドレスで置換される。移動先指定情報でコンテンツが検出されなかった理由が、移動先の機器のＩＰアドレスの変更である場合、この更新により、当該コンテンツにアクセスすることが可能になる。
【０１２５】
リンク情報３２の更新が終了すると、リンク情報管理部２４はその旨をコンテンツ管理部２２に通知するので、コンテンツ管理部２２はこの通知を受けて、更新後のリンク情報３２を用い、再度コンテンツ要求を行う（Ｓ１８）。また、Ｓ１３と同様にして、コンテンツの存否を確認し（Ｓ１９）、コンテンツが存在する場合（Ｓ１９でＹＥＳ）、そのコンテンツの受信、再生を行い（Ｓ１４）、処理を終了する。
【０１２６】
ここで、Ｓ１９において、更新後の移動先指定情報で特定される移動先にもコンテンツが存在しないことが確認された場合（Ｓ１９でＮＯ）、コンテンツ管理部２２は、Ｓ１５５の検索で検出した移動先装置２のトップフォルダを表示装置４に表示させる（Ｓ２０）。そして、表示されたフォルダおよびその下位の階層のフォルダから、ユーザによるコンテンツの選択を待ち受ける（Ｓ２１）。
【０１２７】
具体的には、コンテンツ管理部２２は、移動先装置２にトップフォルダのアドレスを問い合わせ、この問い合わせへの応答として受信したアドレスにアクセスすることにより、トップフォルダを表示させる。なお、コンテンツ管理部２２は、移動先装置２の格納する各コンテンツをユーザに提示し、ユーザにコンテンツを選択させるための情報を取得すればよく、この例に限られない。例えば、移動先装置２の格納するコンテンツのリストの送信を要求し、これを取得して表示してもよい。
【０１２８】
ここで、コンテンツが選択された場合（Ｓ２１でＹＥＳ）には、選択されたコンテンツの送信を移動先装置２に要求し、受信したコンテンツを再生し（Ｓ１４）、処理を終了する。一方、コンテンツが選択されなかった場合（Ｓ２１でＮＯ）、再生は行わずにエラー終了となる。
【０１２９】
〔コンテンツ送信処理〕
次に、移動先装置２が、記録再生装置１の要求に応じてコンテンツを送信するコンテンツ送信処理の流れを図１３に基づいて説明する。図１３は、移動先装置２が実行するコンテンツ送信処理の一例を示すフローチャートである。
【０１３０】
情報管理部５０は、移動先指定情報を含むコンテンツ要求を受信すると（Ｓ３０）、受信したコンテンツ要求に含まれる移動先指定情報をコンテンツ管理部５１に送信する。そして、コンテンツ管理部５１は、コンテンツ管理情報６０から、この移動先指定情報でコンテンツを検索する（Ｓ３１）。
【０１３１】
コンテンツ管理部５１は、この検索の結果、すなわちコンテンツが検出されたか否かを情報管理部５０に通知するので、情報管理部５０はこの通知に基づいて、要求されたコンテンツの存否を判断する（Ｓ３２）。
【０１３２】
ここで、コンテンツが存在すると判断した場合（Ｓ３２でＹＥＳ）、Ｓ３１の検索で検出されたコンテンツをコンテンツ記録部４３から読み出して、ネットワーク接続部４０を介して記録再生装置１に送信し（Ｓ３３）、コンテンツ送信処理を終了する。
【０１３３】
一方、コンテンツが存在しないと判断した場合（Ｓ３２でＮＯ）、コンテンツの不存在を示すエラー通知を、ネットワーク接続部４０を介して記録再生装置１に送信し（Ｓ３４）、コンテンツ送信処理を終了する。
【０１３４】
〔コンテンツ送信処理（変換有り）〕
次に、移動先装置３が記録再生装置１の要求に応じてコンテンツを送信するときに行うコンテンツ送信処理の流れを図１４に基づいて説明する。図１４は、移動先装置３が実行するコンテンツ送信処理の一例を示すフローチャートである。
【０１３５】
上述のように、移動先装置３のコンテンツ管理情報６１ではコンテンツが移動先指定情報（ImportURI）とは異なる格納先情報（ContentURI）で管理されている。このため、移動先装置３が行うコンテンツ送信処理は、移動先指定情報を格納先情報に変換する処理を含む点で、移動先装置２が行うコンテンツ送信処理と相違している。
【０１３６】
情報管理部５０は、移動先指定情報を含むコンテンツ要求を受信すると（Ｓ４０）、受信したコンテンツ要求に含まれる移動先指定情報をコンテンツ管理部５１に送信する。そして、コンテンツ管理部５１は、受信した移動先指定情報ではコンテンツが検出されないことを確認して、この移動先指定情報を格納先情報変換部５２に送信する。
【０１３７】
移動先指定情報を受信した格納先情報変換部５２は、記憶部４１に格納されている移動先／格納先対応情報６２を参照して、受信した移動先指定情報に対応付けられている格納先情報を特定し（Ｓ４１）、これをコンテンツ管理部５１に送信する。
【０１３８】
格納先情報を受信したコンテンツ管理部５１は、コンテンツ管理情報６１を参照して、この格納先情報に対応するコンテンツがコンテンツ記録部４３に格納されているか検索し（Ｓ４２）、確認結果を情報管理部５０に通知する。
【０１３９】
情報管理部５０は、この通知に基づいて要求されたコンテンツの存否を判断（Ｓ４３）する。そして、コンテンツが存在すると判断した場合（Ｓ４３でＹＥＳ）、Ｓ４２の検索で検出されたコンテンツをコンテンツ記録部４３から読み出して、ネットワーク接続部４０を介して記録再生装置１に送信し（Ｓ４４）、コンテンツ送信処理を終了する。
【０１４０】
一方、コンテンツが存在しないと判断した場合（Ｓ４３でＮＯ）、コンテンツの不存在を示すエラー通知を、ネットワーク接続部４０を介して記録再生装置１に送信し（Ｓ４５）、コンテンツ送信処理を終了する。
【０１４１】
〔実施の形態２〕
以下、本実施形態にかかるコンテンツ管理システム（ここでは、本実施形態の各装置を含むシステム全体を「コンテンツ管理システム」と称する。）について、図１５から図２７に基づいて説明する。本実施形態にかかるコンテンツ管理システムは、上記実施形態で説明した機能に加え、以下に説明する機能（１）〜（４）を有する。以下、上記機能（１）〜（４）について、順次説明する。
【０１４２】
なお、以降で説明および図示する記録再生装置１、移動先装置２、および移動先装置３は、機能（１）〜（４）のための機能ブロックをさらに備えている。すなわち、記録再生装置１は、図１に示す各機能ブロックに加えて、以降で説明および図示する各機能ブロックを有するということである。同様に、移動先装置２は、図６に示す各機能ブロックに加えて、以降で説明および図示する各機能ブロックを有し、移動先装置３は、図７に示す各機能ブロックに加えて、以降で説明および図示する各機能ブロックを有するということである。なお、以降で説明する各機能ブロックのうち、これまでに説明した機能ブロックと同じものについては、これまでの説明と同じ符号を付与し、その説明を省略する。
【０１４３】
〔機能（１）：コンテンツ名変更機能〕
本実施形態にかかる移動先装置２は、当該移動先装置２に記憶されているコンテンツのコンテンツ名を、記録再生装置１からの指示によらず、変更することが可能である。例えば、移動先装置２は、コンテンツ名を自ら変更する場合もあるし、携帯視聴端末等の他の装置からの指示によってコンテンツ名を変更する場合もある。
【０１４４】
これに応じて、記録再生装置１は、この移動先装置２におけるコンテンツ名の変更を、当該記録再生装置１が有するコンテンツリスト（コンテンツ管理情報３０）に反映することができる。すなわち、記録再生装置１は、コンテンツリストに含まれているコンテンツ名（すなわち、上記変更前のコンテンツ名）を、上記変更後のコンテンツ名に変更することができる。
【０１４５】
〔記録再生装置および移動先装置の機能構成〕
図１５は、本実施形態にかかる記録再生装置１および移動先装置２の要部構成を示すブロック図である。なお、図１５の記録再生装置１および移動先装置２は、それぞれ図１および図６と同様の構成を備えているが、機能（１）の実現のために追加した機能ブロック以外のブロックについては適宜記載を省略している。
【０１４６】
（移動先装置２）
図１５に示すように、移動先装置２は、コンテンツ名変更部１０１およびコンテンツ名変更通知部１０２を備える。なお、コンテンツ名変更部１０１およびコンテンツ名変更通知部１０２は、制御部４２（図６参照）に含まれる。
【０１４７】
コンテンツ名変更部１０１は、当該移動先装置２に記憶されているコンテンツのコンテンツ名を変更する。例えば、コンテンツ名の変更は、当該移動先装置２のユーザによって指示される。また、コンテンツ名の変更は、携帯視聴端末等の他の装置から指示される場合もある。ここでいうコンテンツ名とは、例えば、コンテンツのタイトルが該当する。
【０１４８】
例えば、当該移動先装置２に記憶されているコンテンツのコンテンツ名は、記憶部４１に記憶されているコンテンツ管理情報６０（図６参照）に示されている。この場合、コンテンツ名変更部１０１は、このコンテンツ管理情報６０に示されているコンテンツ名を、変更することとなる。
【０１４９】
コンテンツ名変更通知部１０２は、コンテンツ名変更部１０１によってコンテンツ名が変更されると、この変更を記録再生装置１へ通知する。具体的には、コンテンツ名変更通知部１０２は、この変更内容を示す情報を、ネットワーク接続部４０を介して、記録再生装置１へ送信する。この変更内容を示す情報の送信は、どのようなデータ形式によるものであってもよく、例えば、ＤＬＮＡプロトコルに即したものであってもよい。
【０１５０】
（記録再生装置１）
一方、図１５に示すように、記録再生装置１は、コンテンツ名変更通知部１０３およびコンテンツ名変更反映部１０４を備える。なお、コンテンツ名変更通知部１０３およびコンテンツ名変更反映部１０４は、制御部１５（図１参照）に含まれる。
【０１５１】
コンテンツ名変更通知部１０３は、移動先装置２において、コンテンツのコンテンツ名が変更されると、この変更が生じたことをユーザに通知する。
【０１５２】
コンテンツ名変更反映部１０４は、移動先装置２においてコンテンツのコンテンツ名が変更されると、この変更内容を当該記録再生装置１が有するコンテンツリスト（コンテンツ管理情報３０）に反映させる。すなわち、コンテンツ名変更反映部１０４は、当該記録再生装置１が有するコンテンツリストに含まれている、上記変更前のコンテンツ名を、上記変更後のコンテンツ名に変更する。
【０１５３】
例えば、当該記録再生装置１が有するコンテンツリストに含まれるコンテンツ名は、記憶部１７に記憶されているリスト表示用情報３１（図１および図４参照）に示されている。この場合、コンテンツ名変更反映部１０４は、このリスト表示用情報３１に示されている上記変更前のコンテンツ名を、上記変更後のコンテンツ名に変更する。
【０１５４】
コンテンツ名変更通知部１０３およびコンテンツ名変更反映部１０４は、上記変更内容を示す情報を、ネットワーク接続部１６を介して、移動先装置２から受信することにより、上記変更が生じたことおよび上記変更内容を知ることができる。
【０１５５】
〔コンテンツ名変更処理の流れ〕
次に、図１６を参照して、本実施形態にかかるコンテンツ管理システムによるコンテンツ名変更処理の流れについて説明する。図１６は、本実施形態にかかるコンテンツ管理システムによるコンテンツ名変更処理の一例を示すフローチャートである。
【０１５６】
図１６に示すコンテンツ名変更処理においては、まず、移動先装置２のコンテンツ名変更部１０１が、当該移動先装置２に記憶されているコンテンツのコンテンツ名を変更する（Ｓ５１）。
【０１５７】
これに応じて、コンテンツ名変更通知部１０２が、Ｓ５１による変更を記録再生装置１へ通知する（Ｓ５２）。
【０１５８】
その後、記録再生装置１において、ユーザからのコンテンツリストの表示指示が、例えば入力部１４（図１参照）から入力されると（Ｓ５３）、これに応じて、例えば制御部１５（図１参照）の制御により、当該記録再生装置１が有するコンテンツリストが、表示装置４（図１参照）に表示される（Ｓ５４）。
【０１５９】
コンテンツ名変更通知部１０３は、コンテンツリストの表示と同時に、Ｓ５１による変更をユーザに通知する（Ｓ５５）。
【０１６０】
そして、コンテンツ名変更反映部１０４が、Ｓ５１による変更を、当該記録再生装置１が有するコンテンツリストに反映するか否かを判断する（Ｓ５６）。例えば、コンテンツ名変更反映部１０４は、図１７（ｃ）に示すような表示を行って、上記変更を上記コンテンツリストに反映するか否かを、ユーザに問合せることにより判断する。なお、図１７については後に詳しく説明する。
【０１６１】
Ｓ５６において、“反映する”と判断された場合（Ｓ５６でＹｅｓ）、コンテンツ名変更反映部１０４が、Ｓ５１による変更を、当該記録再生装置１が有するコンテンツリストに反映する（Ｓ５７）。そして、例えば制御部１５の制御により、Ｓ５７による反映後の上記コンテンツリストが、表示装置４に表示される（Ｓ５８）。
【０１６２】
一方、Ｓ５６において、“反映しない”と判断された場合（Ｓ５６でＮｏ）、Ｓ５７およびＳ５８をスキップする。すなわち、Ｓ５４で表示されたコンテンツリスト（変更が反映されていないコンテンツリスト）が表示装置４に表示されたままとなる。
【０１６３】
（コンテンツリストの変更例）
次に、図１７を参照して、コンテンツ名変更処理によるコンテンツリストの変更例について説明する。図１７は、図１６に示したコンテンツ名変更処理によるコンテンツリストの変更例を示す図である。
【０１６４】
図１７（ａ）は、コンテンツ名の変更が反映される前のコンテンツリストの一例を示す。また、図１７（ｂ）は、コンテンツ名の変更通知の一例を示す。また、図１７（ｃ）は、コンテンツ名の変更をコンテンツリストに反映するか否かをユーザに問合せる画面の一例を示す。そして、図１７（ｄ）は、コンテンツ名の変更が反映された後のコンテンツリストの一例を示す。
【０１６５】
図１７（ａ）に示すコンテンツリストの最上行には、コンテンツ名（タイトル）が「○○クッキング」であるコンテンツの属性情報が示されている。
【０１６６】
このとき、移動先装置２において、上記コンテンツのコンテンツ名が「△△クッキング」に変更されたとする。この場合、図１７（ｂ）に示すように、上記コンテンツリストにおいて、上記コンテンツの属性情報が示されている行には、コンテンツ名が変更されたことを示す「RENAME」が示される。なお、この例では、記録再生装置１は、コンテンツ名が変更されたことのみをユーザに通知しているが、さらに、変更内容をユーザに通知してもよい。
【０１６７】
そして、記録再生装置１は、予め定められたタイミングで、コンテンツ名の変更をコンテンツリストに反映するか否かの問合せ画面を表示する。例えば、図１７（ｃ）に示す例では、コンテンツリストの該当行にカーソルがフォーカスされたタイミングで、上記問合せ画面が表示されている。この例では、上記問合せ画面は、「△△クッキングにｒｅｎａｍｅしてもよいですか？」というメッセージ、「はい」ボタン、および「いいえ」ボタンを含んで構成されている。
【０１６８】
ここで、「はい」ボタンがユーザによって選択されると、記録再生装置１は、“コンテンツ名の変更をコンテンツリストに反映する”と判断する。これにより、コンテンツリストにおける該当行のコンテンツ名は、図１７（ｄ）に示すように、「△△クッキング」に変更される。
【０１６９】
一方、「いいえ」ボタンがユーザによって選択されると、記録再生装置１は、“コンテンツ名の変更をコンテンツリストに反映しない”と判断する。この場合、コンテンツリストにおける該当行のコンテンツ名は、図１７（ａ）に示すように、「○○クッキング」のままとなる。
【０１７０】
〔まとめ〕
このように、本実施形態にかかるコンテンツ管理システムは、コンテンツの管理を行うコンテンツ管理装置（記録再生装置１）と、管理対象のコンテンツの移動先である移動先装置（移動先装置２）と、を含む。そして、上記移動先装置は、上記コンテンツ管理装置から受信したコンテンツのコンテンツ名を変更するコンテンツ名変更手段（コンテンツ名変更部１０１）と、上記コンテンツ名の変更を上記コンテンツ管理装置へ通知するコンテンツ名変更通知手段（コンテンツ名変更通知部１０２）と、を備えている。さらに、上記コンテンツ管理装置は、上記移動先装置から上記コンテンツ名の変更が通知された場合、上記コンテンツ名の変更を、上記コンテンツにアクセスするためのリンク情報に記されているコンテンツ名に反映するコンテンツ名変更反映手段（コンテンツ名変更反映部１０４）を備える。
【０１７１】
このような構成により、本実施形態にかかるコンテンツ管理システムは、移動先装置に移動されたコンテンツのコンテンツ名が変更されるような場合であっても、コンテンツ管理装置において管理される当該コンテンツのコンテンツ名と、移動先装置において管理される当該コンテンツのコンテンツ名とを、容易に同期させることができる。
【０１７２】
よって、例えば、移動先装置のユーザとコンテンツ管理装置のユーザとが同一のユーザであれば、両装置において、一のコンテンツを一の名称で管理できるので、コンテンツを取り違える等といった問題が生じることはない。
【０１７３】
したがって、本実施形態にかかるコンテンツ管理システムは、一のコンテンツを複数の機器で扱うこと可能なシステム（例えば、本実施形態で説明したようなＤＬＮＡ機器同士が接続されたシステム）への適用が有用である。
【０１７４】
〔機能（２）：コンテンツリスト復元機能〕
記録再生装置１においてコンテンツが削除された場合、そのコンテンツへのリンク情報が削除されることとなるから、そのコンテンツにアクセスすることができなくなってしまう。
【０１７５】
そこで、本実施形態の記録再生装置１は、コンテンツのダビング履歴を示す情報（以下、「ダビング履歴情報」と称する）を記憶しておく構成を採用している。詳細は後述するが、このダビング履歴情報を参照することにより、記録再生装置１は、コンテンツリストから削除されてしまったコンテンツを、コンテンツリストに復元することができる。
【０１７６】
図１８は、本実施形態にかかる記録再生装置１の要部構成を示すブロック図である。なお、図１８の記録再生装置１は、図１と同様の構成を備えているが、機能（２）の実現のために追加した機能ブロック以外のブロックについては適宜記載を省略している。
【０１７７】
図１８に示すように、記録再生装置１は、ダビング履歴情報記憶部１２１およびコンテンツリスト復元部１２２をさらに備える。なお、ダビング履歴情報記憶部１２１およびコンテンツリスト復元部１２２は、制御部１５に含まれる（図１参照）。
【０１７８】
ダビング履歴情報記憶部１２１は、記録再生装置１によるコンテンツのダビング履歴を示すダビング履歴情報を記憶する。ダビング履歴情報は、少なくとも、コンテンツの識別情報と、ダビング先（すなわち、移動先）から取得したリンク先アドレス（すなわち、移動先指定情報）とが対応付けられた情報であり、ダビングを行う毎にこれらの情報の組が追加される。なお、ダビング履歴情報は、例えば記憶部１７に記憶しておけばよい。
【０１７９】
また、ダビング履歴情報は、リンク先アドレスが示すリンク先からのコンテンツの取得の可否を示す情報を含んでいてもよい。例えば、移動先装置２にコンテンツをダビングした後、そのコンテンツが移動先装置３に移動されたことを移動先装置２から通知された場合、移動先装置２のリンク先アドレスに、当該リンク先アドレスからコンテンツを取得することはできないことを示す情報を対応付けて記憶してもよい。
【０１８０】
コンテンツリスト復元部１２２は、ダビング履歴情報記憶部１２１が記憶したダビング履歴情報に基づいて、コンテンツリストから削除されたコンテンツをコンテンツリストに復元する。
【０１８１】
〔コンテンツリスト復元処理の流れ〕
次に、図１９を参照して、本実施形態にかかる記録再生装置１によるコンテンツリスト復元処理の流れについて説明する。図１９は、本実施形態にかかる記録再生装置１によるコンテンツリスト復元処理の一例を示すフローチャートである。
【０１８２】
図１９に示すコンテンツリスト復元処理においては、まず、ダビング履歴情報記憶部１２１が、コンテンツのダビングが行われたか否かを判断する（Ｓ８１）。
【０１８３】
Ｓ８１において、“コンテンツのダビングが行われた”と判断された場合（Ｓ８１でＹｅｓ）、ダビング履歴情報記憶部１２１が、当該ダビングに関するダビング履歴情報を記憶する（Ｓ８２）。そして、記録再生装置１は、Ｓ８１へ処理を戻す。
【０１８４】
一方、Ｓ８１において、“コンテンツのダビングが行われていない”と判断された場合（Ｓ８１でＮｏ）、記録再生装置１は、Ｓ８３へ処理を進める。なお、Ｓ８１およびＳ８２の処理は、コンテンツのダビング時に行ってもよい。
【０１８５】
Ｓ８３では、コンテンツリスト復元部１２２が、コンテンツリストへのコンテンツの復元が要求されたか否かを判断する（Ｓ８３）。なお、Ｓ８３の処理は、例えば、コンテンツリストから削除したコンテンツを復元するための入力操作を検出したときに行われる。そして、この入力操作を検出したときに、コンテンツリストから削除したコンテンツを復元するか否かを選択させる選択画面を表示し、この選択画面におけるユーザの入力操作に基づいてＳ８３の判断を行ってもよい。
【０１８６】
Ｓ８３において、“コンテンツの復元が要求されていない”と判断された場合（Ｓ８３でＮｏ）、記録再生装置１は、Ｓ８１へ処理を戻す。
【０１８７】
一方、Ｓ８３において、“コンテンツの復元が要求された”と判断された場合（Ｓ８３でＹｅｓ）、記録再生装置１は、Ｓ８４へ処理を進める。また、この場合、記録再生装置１は、復元の対象となるコンテンツを特定する。例えば、ダビング履歴情報に記述されているコンテンツを一覧表示し、その中から復元の対象となるコンテンツをユーザに選択させることによって上記の特定を行ってもよい。なお、ダビング履歴情報に記述されているコンテンツ数が多い場合には、ユーザが指定した条件で絞り込んだコンテンツのみを表示させてもよい。また、コンテンツリストからコンテンツが削除されたときに、削除されたコンテンツの識別情報を記憶しておき、削除されたコンテンツのみを復元の対象として表示してもよい。さらに、有効なリンク先アドレス（アクセスすることでコンテンツが取得可能なアドレス）が対応付けられているコンテンツのみを復元の対象として表示してもよい。
【０１８８】
また、復元の対象とするコンテンツが選択されたときには、選択されたコンテンツをコンテンツリストに復元することの可否を選択させる画面を表示してもよい。そして、この選択画面で復元を行うことが選択された場合に、“コンテンツの復元が要求された”と判断してもよい。
【０１８９】
Ｓ８４では、コンテンツリスト復元部１２２が、コンテンツリストへの復元が要求されたコンテンツが、コンテンツリストへ復元可能であるか否かを判断する（Ｓ８４）。例えば、コンテンツリスト復元部１２２は、要求されたコンテンツに関するダビング履歴情報が記憶されており、かつこのダビング履歴情報に、コンテンツリストへの復元が可能なリンク先アドレスが存在する場合に、“コンテンツリストへ復元可能である”と判断する。なお、Ｓ８３において、ダビング履歴情報において有効なリンク先アドレスが対応付けられているコンテンツのみを復元の対象とした場合、Ｓ８４の処理は省略される。
【０１９０】
Ｓ８４において、“コンテンツリストへ復元可能である”と判断された場合（Ｓ８４でＹｅｓ）、コンテンツリスト復元部１２２が、要求されたコンテンツをコンテンツリストへ復元する（Ｓ８５）。具体的には、ダビング履歴情報に含まれるリンク先アドレスと、コンテンツの識別情報とを対応付けてコンテンツ管理情報３０に記録する。そして、記録再生装置１は、Ｓ８１へ処理を戻す。
【０１９１】
一方、Ｓ８４において、“コンテンツリストへ復元可能でない”と判断された場合（Ｓ８４でＮｏ）、コンテンツリスト復元部１２２が、要求されたコンテンツをコンテンツリストへ復元することができない旨のメッセージをユーザに通知する（Ｓ８６）。そして、記録再生装置１は、Ｓ８１へ処理を戻す。
【０１９２】
以上のように、記録再生装置１は、コンテンツのダビングが行われる毎に、そのコンテンツに関するダビング履歴情報をダビング履歴情報記憶部１２１に記憶させる。これにより、コンテンツリストから削除したコンテンツを復元することが可能となっている。
【０１９３】
〔ダビング履歴情報の例〕
図２０は、ダビング履歴情報記憶部１２１によって記憶されるダビング履歴情報の一例を示す。図２０には、ダビング履歴情報記憶部１２１に記憶されているダビング履歴情報のうち、タイトルに「○○クッキング」が設定されているコンテンツに関するダビング履歴情報が示されている。この例では、ダビング履歴情報には、上記コンテンツに対し、ダビングが行われる毎にダビング先から取得した、複数のリンク先アドレスが対応付けられている。
【０１９４】
ここで、図２０に示すダビング履歴情報において、各リンク先アドレスには、そのリンク先アドレスを用いて上記コンテンツを復元できるか否かを示す情報が対応付けられている。例えば、「○」が対応付けられているリンク先アドレスは、このリンク先アドレスに上記コンテンツが存在していることを示し、「×」が対応付けられているリンク先アドレスは、このリンク先アドレスに上記コンテンツが存在していないことを示す。したがって、「×」が示されているリンク先アドレスは、上記コンテンツの復元には用いられない。
【０１９５】
このように、ダビング履歴情報には、コンテンツへアクセスするためのリンク先アドレスを、コンテンツリストとは別に複数記憶しておくことが可能である。これにより、当該ダビング履歴情報において、コンテンツの復元に利用可能なリンク先アドレス（すなわち、「○」が対応付けられているリンク先アドレス）が少なくとも１つ記憶されていれば、コンテンツリスト復元部１２２は、このリンク先アドレスを用いて、コンテンツリストにコンテンツを復元することができる。なお、図２０に例示するように、コンテンツの復元に利用可能なリンク先アドレスが複数記憶されている場合、コンテンツリスト復元部１２２は、いずれのアドレスを用いてコンテンツを復元してもよい。
【０１９６】
〔まとめ〕
このように、本実施形態にかかるコンテンツ管理システムは、コンテンツの管理を行うコンテンツ管理装置（記録再生装置１）と、管理対象のコンテンツの移動先である移動先装置（移動先装置２）と、を含む。
【０１９７】
そして、上記コンテンツ管理装置は、上記コンテンツが上記移動先装置へ移動（ダビング）される毎に、当該移動先から取得した移動先指定情報を記憶する移動先指定情報記憶部（ダビング履歴情報記憶部１２１）と、上記コンテンツへアクセスするためのリンク情報が削除された場合、上記移動先情報記憶部に記憶されている上記移動先指定情報を用いて、上記リンク情報を復元する復元手段（コンテンツリスト復元部１２２）と、を備える。
【０１９８】
これにより、本実施形態にかかるコンテンツ管理システムは、コンテンツが削除されてしまった場合でも、そのコンテンツにアクセス可能な状態へ容易に復元することができる。
【０１９９】
したがって、本実施形態にかかるコンテンツ管理システムは、一のコンテンツを複数の機器で扱うこと可能なシステム（例えば、本実施形態で説明したようなＤＬＮＡ機器同士が接続されたシステム）への適用が有用である。
【０２００】
〔機能（３）：コンテンツ取得制御機能〕
本実施形態にかかる移動先装置２は、当該移動先装置２に記憶されているコンテンツを、記録再生装置１からの指示によらず、移動先装置３へ移動することが可能である。例えば、移動先装置２が自らコンテンツを移動させる場合もあるし、移動先装置３等の他の装置からの指示によって移動先装置２がコンテンツを移動させる場合もある。
【０２０１】
本実施形態にかかるコンテンツ管理システムは、このように移動先装置２から移動先装置３へコンテンツが移動された場合であっても、記録再生装置１が、上記移動前の古いリンク情報に基づいて、移動先装置３からコンテンツを取得することが可能となっている。
【０２０２】
〔記録再生装置、移動先装置、および移動先装置の機能構成〕
図２１は、本実施形態にかかる記録再生装置１、移動先装置２、および移動先装置３の要部構成を示すブロック図である。なお、図２１の記録再生装置１、移動先装置２、および移動先装置３は、それぞれ図１、図６、および図７と同様の構成を備えているが、機能（３）の実現のために追加した機能ブロック以外のブロックについては適宜記載を省略している。
【０２０３】
（記録再生装置１）
図２１に示すように、記録再生装置１は、コンテンツ取得部１３１をさらに備える。コンテンツ取得部１３１は、制御部１５に含まれる（図１参照）。
【０２０４】
コンテンツ取得部１３１は、コンテンツリストに記されているコンテンツの中からユーザが選択したコンテンツを取得する。
【０２０５】
具体的には、移動先装置２に格納されている上記コンテンツへアクセスするための第１のリンク先アドレス（第１のリンク情報）がコンテンツリストに記されている場合、コンテンツ取得部１３１は、この第１のリンク先アドレスを用いて、上記コンテンツを移動先装置２へ要求する。
【０２０６】
一方、移動先装置３に格納されている上記コンテンツへアクセスするための第２のリンク先アドレス（第２のリンク情報）がコンテンツリストに記されている場合がある。この場合、コンテンツ取得部１３１は、この第２のリンク先アドレスを用いて、上記コンテンツを移動先装置３へ要求することもできる。
【０２０７】
（移動先装置２）
移動先装置２は、リンク先アドレス送信部１３２、コンテンツ送信部１３３、およびリンク先アドレス記憶部１３４をさらに備える。リンク先アドレス送信部１３２、コンテンツ送信部１３３、およびリンク先アドレス記憶部１３４は、制御部４２に含まれる（図６参照）。
【０２０８】
コンテンツ送信部１３３は、記録再生装置１から要求されたコンテンツが当該移動先装置２へ格納されている場合、このコンテンツを、記憶再生装置１へ送信する。
【０２０９】
一方、コンテンツ送信部１３３は、記録再生装置１から要求されたコンテンツが移動先装置３へ移動されている場合、このコンテンツを、移動先装置３から受信し、記憶再生装置１へ転送する。
【０２１０】
リンク先アドレス送信部１３２は、記録再生装置１から要求されたコンテンツが移動先装置３へ移動されている場合、コンテンツ送信部１３３がコンテンツを記憶再生装置１へ送信する代わりに、第２のリンク先アドレスを、記憶再生装置１へ送信する。
【０２１１】
リンク先アドレス記憶部１３４は、上記第２のリンク先アドレスと第１のリンク先アドレスとを対応付けて、例えば記憶部４１（図６参照）に記憶する。なお、上述のように、第１のリンク先アドレスは、移動先装置２におけるコンテンツの格納先を示すものである。また、第２のリンク先アドレスは、移動先装置３から取得したとき（すなわち、移動先装置２がコンテンツを移動先装置３へ移動したとき）に、移動先装置３から取得される。
【０２１２】
（移動先装置３）
移動先装置３は、コンテンツ送信部１３５をさらに備える。コンテンツ送信部１３５は、制御部４２に含まれる（図７参照）。コンテンツ送信部１３５は、コンテンツをその要求元へ送信する。例えば、コンテンツ送信部１３５は、記録再生装置１からコンテンツを要求された場合、当該コンテンツを記録再生装置１へ送信する。一方、コンテンツ送信部１３５は、移動先装置２からコンテンツを要求された場合、当該コンテンツを移動先装置２へ送信する。
【０２１３】
〔コンテンツ取得制御処理の流れ〕
次に、図２２および図２３を参照して、本実施形態にかかるコンテンツ管理システムによるコンテンツ取得制御処理の流れについて説明する。ここでは、移動先装置２に移動されたコンテンツが、さらに移動先装置３へ移動されている場合の処理手順について説明する。
【０２１４】
図２２は、本実施形態にかかるコンテンツ管理システムによるコンテンツ取得制御処理の第１例を示すフローチャートである。一方、図２３は、本実施形態にかかるコンテンツ管理システムによるコンテンツ取得制御処理の第２例を示すフローチャートである。
【０２１５】
図２２に示す手順においては、まず、記録再生装置１のコンテンツ取得部１３１が、コンテンツリストに記されている第１のリンク先アドレスを用いて、移動先装置２に対してコンテンツを要求する（Ｓ９１）。これに応じて、移動先装置２のコンテンツ送信部１３３は、第２のリンク先アドレスを用いて、記録再生装置１から要求されたコンテンツを移動先装置３に対して要求する（Ｓ９２）。
【０２１６】
移動先装置３のコンテンツ送信部１３５は、移動先装置２から要求されたコンテンツを、移動先装置２へ送信する（Ｓ９３）。そして、移動先装置２のコンテンツ送信部１３３は、移動先装置３から送信されたコンテンツを受信し、受信したコンテンツを記録再生装置１へ転送する（Ｓ９４）。
【０２１７】
記録再生装置１においては、コンテンツ取得部１３１が、移動先装置２から転送されたコンテンツを取得する（Ｓ９５）。そして、記録再生装置１は、Ｓ９５で取得したコンテンツを再生する（Ｓ９６）。
【０２１８】
一方、図２３に示す手順においては、まず、記録再生装置１のコンテンツ取得部１３１が、コンテンツリストに記されている第１のリンク先アドレスを用いて、移動先装置２に対してコンテンツを要求する（Ｓ１０１）。これに応じて、移動先装置２のリンク先アドレス送信部１３２は、記録再生装置１から要求されたコンテンツにアクセスするための第２のリンク先アドレスを、記録再生装置１に送信する（Ｓ１０２）。
【０２１９】
記録再生装置１のコンテンツ取得部１３１は、移動先装置２から送信された第２のリンク先アドレスを用いて、移動先装置２に対してコンテンツを要求する（Ｓ１０３）。
【０２２０】
移動先装置３のコンテンツ送信部１３５は、移動先装置１から要求されたコンテンツを、移動先装置１へ送信する（Ｓ１０４）。そして、記録再生装置１のコンテンツ取得部１３１は、移動先装置３から送信されたコンテンツを取得する（Ｓ１０５）。そして、記録再生装置１は、Ｓ１０５で取得したコンテンツを再生する（Ｓ１０６）。
【０２２１】
このように、記録再生装置１は、移動先装置３へ移動されたコンテンツを、移動先装置２を介して取得することもできるし、移動先装置３から直接取得することもできる。
【０２２２】
なお、図２３の手順では、記録再生装置１は、コンテンツの要求時に、第２のリンク先アドレスを移動先装置２から取得することとしているが、予め（例えば、移動先装置２から移動先装置３へ移動されたときに）この第２のリンク先アドレスを移動先装置２から取得するようにしてもよい。
【０２２３】
また、記録再生装置１は、第２のリンク先アドレスを受け取った場合、コンテンツリストに記されている第１のリンク先アドレスを、この第２のリンク先アドレスに書き換えてもよい。これにより、記録再生装置１は、以降、移動先装置３へコンテンツを直接的に要求することができる。
【０２２４】
なお、上記手順における各コンテンツ送信および各要求送信は、どのようなデータ形式によるものであってもよく、例えば、ＤＬＮＡプロトコルに即したものであってもよい。
【０２２５】
〔コンテンツリストの表示例〕
次に、図２４を参照して、記録再生装置１によるコンテンツリストの表示例について説明する。図２４は、記録再生装置１によるコンテンツリストの表示例を示す図である。
【０２２６】
図２４（ａ）は、コンテンツが移動先装置２から移動先装置３へ移動される前のコンテンツリストの表示例を示す。一方、図２４（ｂ）は、コンテンツが移動先装置２から移動先装置３へ移動された後のコンテンツリストの表示例を示す。
【０２２７】
図２４（ａ）に示すコンテンツリストにおいては、コンテンツ名が「ニュース○○」であるコンテンツに対して、「ネットワーク」と表示されている。これは、このコンテンツがネットワーク上（すなわち、移動先装置２）に存在することを示す。また、これは、移動先装置２に格納されているコンテンツへアクセスするための第１のリンク先アドレスがコンテンツリストに記されていることを意味する。
【０２２８】
一方、図２４（ｂ）に示すコンテンツリストにおいては、コンテンツ名が「ニュース○○」であるコンテンツに対して、「MOVE」と表示されている。これは、このコンテンツがネットワーク上（すなわち、移動先装置２）から外部機器（すなわち、移動先装置３）へ移動されたことを示す。また、これは、移動先装置３に格納されているコンテンツへアクセスするための第２のリンク先情報がコンテンツリストに記されていることを意味する。
【０２２９】
つまり、記録再生装置１は、第２のリンク先情報がコンテンツリストに記されているコンテンツについては、「MOVE」と表示し、第１のリンク先アドレスがコンテンツリストに記されているコンテンツについては、「ネットワーク」と表示する。
【０２３０】
なお、コンテンツが移動先装置２に格納されているか、移動先装置３などの他の装置に格納されているかにかかわらず、ユーザはそのコンテンツを視聴することができるので、「MOVE」の表示は省略してもよい。
【０２３１】
〔まとめ〕
このように、本実施形態にかかるコンテンツ管理システムは、コンテンツの管理を行うコンテンツ管理装置（記録再生装置１）と、管理対象のコンテンツの移動先である移動先装置（移動先装置２）と、を含む。
【０２３２】
（第１の構成例）
そして、第１の構成例では、上記移動先装置は、上記外部装置に移動されたコンテンツにアクセスするための外部リンク情報（第２のリンク先アドレス）を記憶する外部リンク情報記憶手段（記憶部４１）と、上記コンテンツ管理装置から、上記コンテンツの送信要求を受信したときに、上記外部リンク情報を用いて上記コンテンツを上記外部装置から取得し、取得した上記コンテンツを上記コンテンツ管理装置へ送信するコンテンツ送信手段（コンテンツ送信部１３３）とを備える。
【０２３３】
（第２の構成例）
また、第２の構成例では、上記移動先装置は、上記外部装置に移動されたコンテンツにアクセスするための外部リンク情報（第２のリンク先アドレス）を記憶する外部リンク情報記憶手段（記憶部４１）と、上記コンテンツ管理装置から、上記コンテンツの送信要求を受信したときに、上記外部リンク情報を上記コンテンツ管理装置へ送信するリンク情報送信手段（リンク先アドレス送信部１３２）とを備える。
【０２３４】
本実施形態にかかるコンテンツ管理システムによれば、例えば、コンテンツ管理装置のユーザが知らないうちに、コンテンツが移動先装置から外部装置へ移動されてしまった場合であっても、コンテンツ管理装置は、特別な操作をユーザに行わせることなく、直接的にまたは間接的に、外部装置からそのコンテンツを取得することができる。
【０２３５】
したがって、本実施形態にかかるコンテンツ管理システムは、一のコンテンツを複数の機器で扱うこと可能なシステム（例えば、本実施形態で説明したようなＤＬＮＡ機器同士が接続されたシステム）への適用が有用である。
【０２３６】
〔機能（４）：コンテンツ削除機能〕
本実施形態にかかる移動先装置２は、当該移動先装置２に記憶されているコンテンツを、記録再生装置１からの指示によらず、削除することが可能である。例えば、移動先装置２が自らコンテンツを削除する場合もあるし、移動先装置３からの指示によって移動先装置２がコンテンツを削除する場合もある。これに応じて、記録再生装置１は、この移動先装置２におけるコンテンツの削除を、当該記録再生装置１が有するコンテンツリストに反映することができる。すなわち、記録再生装置１は、移動先で削除されたコンテンツをコンテンツリストから削除することができる。
【０２３７】
〔記録再生装置および移動先装置の機能構成〕
図２５は、本実施形態にかかる記録再生装置１および移動先装置２の要部構成を示すブロック図である。なお、図２５の記録再生装置１および移動先装置２は、それぞれ図１および図６と同様の構成を備えているが、機能（４）の実現のために追加した機能ブロック以外のブロックについては適宜記載を省略している。
【０２３８】
（移動先装置２）
図２５に示すように、移動先装置２は、コンテンツ削除部１４１およびコンテンツ削除通知部１４２を備える。コンテンツ削除部１４１およびコンテンツ削除通知部１４２は、制御部４２に含まれる（図６参照）。
【０２３９】
コンテンツ削除部１４１は、当該移動先装置２に記憶されているコンテンツを削除する。例えば、コンテンツの削除は、当該移動先装置２のユーザによって指示される。また、コンテンツの削除は、移動先装置３等の他の装置から指示される場合もある。
【０２４０】
コンテンツ削除通知部１４２は、コンテンツ削除部１４１によってコンテンツが削除されると、この削除を記録再生装置１へ通知する。具体的には、コンテンツ削除通知部１４２は、削除したコンテンツおよびそのコンテンツを削除したことを示す情報を、ネットワーク接続部４０を介して、記録再生装置１へ送信する。この削除内容を示す情報の送信は、どのようなデータ形式によるものであってもよく、例えば、ＤＬＮＡプロトコルに即したものであってもよい。
【０２４１】
（記録再生装置１）
一方、図２５に示すように、記録再生装置１は、コンテンツ削除通知部１４４およびコンテンツ削除部１４３を備える。コンテンツ削除通知部１４４およびコンテンツ削除部１４３は、制御部１５に含まれる（図１参照）。
【０２４２】
コンテンツ削除通知部１４４は、移動先装置２において、あるコンテンツが削除されると、このコンテンツが移動先装置２から削除された旨をユーザに通知する。コンテンツ削除通知部１４４による通知タイミングは、上記コンテンツの削除後、かつコンテンツリストが表示されたときが好ましいが、これに限らない。
【０２４３】
コンテンツ削除部１４３は、移動先装置２において、あるコンテンツが削除されると、この削除を当該記録再生装置１が有するコンテンツリストに反映させる。すなわち、コンテンツ削除部１４３は、当該記録再生装置１が有するコンテンツリストから、上記コンテンツを削除する。
【０２４４】
なお、コンテンツ削除通知部１４４およびコンテンツ削除部１４３は、記録再生装置１が、上記削除内容を示す情報を、ネットワーク接続部１６を介して、移動先装置２から受信することにより、上記削除を知ることができる。
【０２４５】
〔コンテンツ削除処理の流れ〕
次に、図２６を参照して、本実施形態にかかるコンテンツ管理システムによるコンテンツ削除処理の流れについて説明する。図２６は、本実施形態にかかるコンテンツ管理システムによるコンテンツ削除処理の一例を示すフローチャートである。
【０２４６】
図２６に示す手順においては、まず、移動先装置２のコンテンツ削除部１４１が、当該移動先装置２に記憶されているコンテンツを削除する（Ｓ１１１）。これに応じて、コンテンツ削除通知部１４２が、Ｓ１１１による削除を記録再生装置１へ通知する（Ｓ１１２）。具体的には、コンテンツ削除通知部１４２は、削除内容を示す情報を記録再生装置１に送信することによって、上記の通知を行う。
【０２４７】
その後、記録再生装置１において、ユーザからのコンテンツリストの表示指示が、例えば入力部１４（図１参照）から入力されると（Ｓ１１３）、コンテンツ削除部１４３によって、当該記録再生装置１が有するコンテンツリストからコンテンツが削除される（Ｓ１１４）。無論、コンテンツリストからのコンテンツの削除は、削除内容を示す情報を受信したときに行ってもよい。
【０２４８】
その後、例えば制御部１５（図１参照）の制御により、当該コンテンツリストが、表示装置４（図１参照）に表示される（Ｓ１１５）。さらに、コンテンツ削除通知部１４４によって、移動先装置２からコンテンツが削除された旨がユーザに通知される（Ｓ１１６）。
【０２４９】
〔コンテンツの削除の反映例〕
次に、図２７を参照して、コンテンツ削除のコンテンツリストへの反映例について説明する。図２７は、図２６に示したコンテンツ削除処理によるコンテンツリストへの反映例を示す図である。
【０２５０】
図２７（ａ）は、コンテンツの削除が反映される前のコンテンツリストの一例を示す。また、図２７（ｂ−１）は、コンテンツの削除が反映された後のコンテンツリストの第１の表示例を示す。また、図２７（ｂ−２）は、コンテンツの削除が反映された後のコンテンツリストの第２の表示例を示す。
【０２５１】
例えば、図２７（ａ）に示すコンテンツリストにおいて、上から２行目には、コンテンツ名（タイトル）が「ニュース○○」であるコンテンツの属性情報が示されている。
【０２５２】
その後、移動先装置２において、上記コンテンツが削除されたとする。これにより、図２６のコンテンツ削除処理が行われ、記録再生装置１が有する上記コンテンツリストから、上記コンテンツが削除される。
【０２５３】
その後、記録再生装置１は、上記コンテンツリストを表示する際には、例えば、図２７（ｂ−１）に例示するように、上記コンテンツが削除された状態の上記コンテンツリストを表示するようにしてもよい。
【０２５４】
または、図２７（ｂ−２）に例示するように、上記コンテンツリストにおいて、上記コンテンツを表示するとともに、このコンテンツが削除されたことを示す「DELETE」を表示するようにしてもよい。
【０２５５】
但し、このコンテンツの表示は、当該コンテンツが削除されたことをユーザに通知するためのものであり、実際には、当該コンテンツは既にコンテンツリストには存在しない。よって、記録再生装置１は、このコンテンツへのアクセスを行わない。
【０２５６】
なお、「DELETE」が表示されたコンテンツが選択されたときには、削除済みであることを示すメッセージを表示してもよい。また、「DELETE」が表示されたコンテンツを選択することができないようにしてもよい。さらに、一度「DELETE」と共にコンテンツを表示すれば、そのコンテンツが削除されたことをユーザに認識させることができるので、それ以後にコンテンツリストを表示したときには、そのコンテンツを表示しないようにしてもよい。つまり、削除済みコンテンツの表示は一時的なものとしてもよい。
【０２５７】
また、上記では、移動先装置２において削除されたコンテンツを、記録再生装置１のコンテンツリストから削除する例を示したが、このコンテンツを他の経路で取得できる場合には、取得先の変更を行ってもよい。例えば、移動先装置２において削除されたコンテンツを移動先装置３が格納している場合には、移動先装置３の格納先にリンク付けされるようにコンテンツリストを更新すればよい。
【０２５８】
〔まとめ〕
このように、本実施形態にかかるコンテンツ管理システムは、コンテンツの管理を行うコンテンツ管理装置（記録再生装置１）と、上記移動先装置から移動されてきたコンテンツの移動先である移動先装置（移動先装置２）と、を含む。
【０２５９】
そして、上記移動先装置は、上記コンテンツ管理装置から受信したコンテンツを削除するコンテンツ削除手段（コンテンツ削除部１４１）と、上記コンテンツの削除を上記コンテンツ管理装置へ通知するコンテンツ削除通知手段（コンテンツ削除通知部１４２）と、を備える。
【０２６０】
さらに、上記コンテンツ管理装置は、上記移動先装置から上記コンテンツの削除が通知された場合、上記コンテンツにアクセスするためのリンク情報を削除するリンク情報削除部（コンテンツ削除部１４３）を備える。
【０２６１】
このような構成により、本実施形態にかかるコンテンツ管理システムは、コンテンツ管理装置の指示によらずに、移動先装置においてコンテンツが削除された場合でも、コンテンツ管理装置が有するコンテンツリストの内容と、移動先装置におけるコンテンツの格納状態とを、容易に同期させることができる。よって、例えば、移動先装置からコンテンツが削除されているにも関わらず、コンテンツ管理装置からこのコンテンツを要求してしまう等といった問題が生じることはない。
【０２６２】
したがって、本実施形態にかかるコンテンツ管理システムは、一のコンテンツを複数の機器で扱うこと可能なシステム（例えば、本実施形態で説明したようなＤＬＮＡ機器同士が接続されたシステム）への適用が有用である。
【０２６３】
〔変形例〕
上記では、記録再生装置１が、自装置に内蔵されているコンテンツ記録部１３に記録したコンテンツを移動させる例を示した。しかしながら、移動させるコンテンツ（コンテンツ管理部２２で管理するコンテンツ）は、記録再生装置１が読み出し可能に格納されていればよく、この例に限られない。例えば、コンテンツ記録部１３が記録再生装置１に外付けされていてもよいし、コンテンツ記録部１３が複数存在してもよい。
【０２６４】
また、コンテンツ記録部１３は、ＨＤＤのような記憶装置であってもよいし、書き込んだコンテンツの移動が可能なものであれば、半導体メモリや光ディスクのような記録媒体であってもよい。
【０２６５】
そして、上記では、記録再生装置１が、外部の表示装置４に表示を行わせる例を示したが、記録再生装置１が表示部を備えていてもよい。つまり、記録再生装置１は、録画機能を有するテレビであってもよい。
【０２６６】
また、上記では、移動先装置２および３がＮＡＳであるとして説明を行ったが、移動先装置２および３は、コンテンツサーバ機能を有する機器（例えばＤＬＮＡにおけるＤＭＳ機器）であればよく、ＮＡＳに限られない。例えば、記録再生機能を備えた他の記録再生装置であってもよい。
【０２６７】
さらに、本発明の主な特徴点はコンテンツの管理方法にあるため、このコンテンツの管理方法を実現するコンテンツ管理部２２、ダビング情報管理部２３、およびリンク情報管理部２４等の機能を備えたコンテンツ管理装置であれば、上記記録再生装置１と同様の効果を奏する。つまり、コンテンツの記録等を行う装置と別体のコンテンツ管理装置も本発明の技術的範囲に含まれる。
【０２６８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２６９】
〔ソフトウェアによる構成例〕
最後に、記録再生装置１、移動先装置２、および移動先装置３の各ブロック、特に制御部１５および制御部４２は、集積回路（ＩＣチップ）上に形成された論理回路によってハードウェア的に実現してもよいし、ＣＰＵ（Central Processing Unit）を用いてソフトウェア的に実現してもよい。
【０２７０】
後者の場合、記録再生装置１、移動先装置２、および移動先装置３は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである記録再生装置１、移動先装置２、および移動先装置３の制御プログラムのプログラムコード（実行形式プログラム、中間コードプログラム、ソースプログラム）をコンピュータで読み取り可能に記録した記録媒体を、上記記録再生装置１、移動先装置２、および移動先装置３に供給し、そのコンピュータ（またはＣＰＵやＭＰＵ）が記録媒体に記録されているプログラムコードを読み出し実行することによっても、達成可能である。
【０２７１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＢＤ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２７２】
また、記録再生装置１、移動先装置２、および移動先装置３を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２７３】
本発明は、録画した放送番組等のコンテンツの管理に利用することができる。
【符号の説明】
【０２７４】
１  記録再生装置（コンテンツ管理装置）
２  移動先装置
３  移動先装置
５１  コンテンツ管理部
５２  格納先情報変換部（対応情報記憶手段、格納先情報特定手段）
６２  移動先／格納先対応情報（対応情報）
２２  コンテンツ管理部（コンテンツ管理手段、アクセス手段、アドレス取得手段、選択用情報取得手段）
２３  ダビング情報管理部（移動先指定情報取得手段）
２４  リンク情報管理部（リンク情報記憶手段）
３２  リンク情報
【図１】
2013123203.tif 000003
【図２】
2013123203.tif 000004
【図３】
2013123203.tif 000005
【図４】
2013123203.tif 000006
【図５】
2013123203.tif 000007
【図６】
2013123203.tif 000008
【図７】
2013123203.tif 000009
【図８】
2013123203.tif 000010
【図９】
2013123203.tif 000011
【図１０】
2013123203.tif 000012
【図１１】
2013123203.tif 000013
【図１２】
2013123203.tif 000014
【図１３】
2013123203.tif 000015
【図１４】
2013123203.tif 000016
【図１５】
2013123203.tif 000017
【図１６】
2013123203.tif 000018
【図１７】
2013123203.tif 000019
【図１８】
2013123203.tif 000020
【図１９】
2013123203.tif 000021
【図２０】
2013123203.tif 000022
【図２１】
2013123203.tif 000023
【図２２】
2013123203.tif 000024
【図２３】
2013123203.tif 000025
【図２４】
2013123203.tif 000026
【図２５】
2013123203.tif 000027
【図２６】
2013123203.tif 000028
【図２７】
2013123203.tif 000029
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
コンテンツの管理を行うコンテンツ管理装置であって、
管理対象のコンテンツを移動先装置に移動させる際に、該移動先装置に送信した、コンテンツの移動先を確保させる要求への応答として、該移動先装置から該コンテンツの移動先を指定する移動先指定情報を取得する移動先指定情報取得手段と、
上記移動先指定情報取得手段が取得した上記移動先指定情報を、上記コンテンツにアクセスするためのリンク情報として記憶するリンク情報記憶手段と、を備え、
上記移動先指定情報の受信後に上記コンテンツを上記移動先装置に送信して、該コンテンツを該移動先指定情報にて指定される移動先に格納させることを特徴とするコンテンツ管理装置。
【請求項２】
上記移動先指定情報取得手段は、管理対象のコンテンツを移動させる際に、上記移動先装置から該移動先装置を識別する識別情報をさらに取得し、
上記リンク情報記憶手段は、上記リンク情報の移動先指定情報と、上記移動先指定情報取得手段が取得した上記識別情報とを対応付けて記憶することを特徴とする請求項１に記載のコンテンツ管理装置。
【請求項３】
上記移動先指定情報は、上記移動先装置のネットワーク上のアドレスを含み、
上記リンク情報の移動先指定情報を用いたアクセスに失敗した場合に、当該移動先指定情報に対応付けられた識別情報を用いて移動先装置を検出し、検出した移動先装置のネットワーク上のアドレスを取得するアドレス取得手段を備え、
上記リンク情報記憶手段は、上記アドレス取得手段が取得したアドレスで上記移動先指定情報のアドレス部分を置換して、該移動先指定情報を更新することを特徴とする請求項２に記載のコンテンツ管理装置。
【請求項４】
更新後の移動先指定情報を用いたアクセスにも失敗した場合に、上記アドレス取得手段が取得したアドレスを用いて移動先装置にアクセスし、該移動先装置が格納する各コンテンツをユーザに提示するための情報を取得する選択用情報取得手段を備えていることを特徴とする請求項３に記載のコンテンツ管理装置。
【請求項５】
上記リンク情報記憶手段がリンク情報を記憶したコンテンツについて、該コンテンツがリンク情報でアクセス可能なコンテンツであることを示すリンクアクセス情報を記憶するコンテンツ管理手段と、
上記リンクアクセス情報が記憶されているコンテンツがアクセス対象として選択されたときに、上記リンク情報を用いて当該コンテンツにアクセスするアクセス手段と、を備えていることを特徴とする請求項１から４の何れか１項に記載のコンテンツ管理装置。
【請求項６】
管理対象のコンテンツが上記移動先装置へ移動される毎に、該移動先から取得した上記移動先指定情報を記憶する移動先指定情報記憶部と、
上記コンテンツへアクセスするためのリンク情報が削除された場合、上記移動先指定情報記憶部に記憶されている上記移動先指定情報を用いて、上記リンク情報を復元する復元手段と、をさらに備えることを特徴とする請求項１から５の何れか１項に記載のコンテンツ管理装置。
【請求項７】
請求項１から６の何れか１項に記載のコンテンツ管理装置を動作させるための制御プログラムであって、コンピュータを上記各手段として機能させるための制御プログラム。
【請求項８】
請求項７に記載の制御プログラムを記録したコンピュータ読み取り可能な記録媒体。
【請求項９】
コンテンツの管理を行うコンテンツ管理装置によるコンテンツ管理方法であって、
管理対象のコンテンツを移動先装置に移動させる際に、該移動先装置に送信した、コンテンツの移動先を確保させる要求への応答として、該移動先装置から該コンテンツの移動先を指定する移動先指定情報を取得する移動先指定情報取得ステップと、
上記移動先指定情報取得ステップで取得した上記移動先指定情報を、上記コンテンツにアクセスするためのリンク情報として記憶するリンク情報記憶ステップと、
上記移動先指定情報の受信後に上記コンテンツを上記移動先装置に送信して、該コンテンツを該移動先指定情報にて指定される移動先に格納させるステップと、を含むことを特徴とするコンテンツ管理方法。
【請求項１０】
請求項１から６の何れか１項に記載のコンテンツ管理装置が管理対象とするコンテンツの移動先である移動先装置であって、
上記コンテンツ管理装置の上記移動先指定情報取得手段に取得させた上記移動先指定情報と、当該コンテンツの格納先を示す格納先情報とを対応付けた対応情報を記憶する対応情報記憶手段と、
上記コンテンツ管理装置から、上記移動先指定情報によるコンテンツへのアクセスを受けたときに、上記対応情報記憶手段が記憶した対応情報を参照して、当該移動先指定情報に対応付けられた格納先情報を特定する格納先情報特定手段とを備えていることを特徴とする移動先装置。
【請求項１１】
請求項１から６の何れか１項に記載のコンテンツ管理装置を備えたテレビジョン受像機。
【請求項１２】
請求項１から６の何れか１項に記載のコンテンツ管理装置と、
上記コンテンツ管理装置が管理対象とするコンテンツの移動先である移動先装置と
を含むコンテンツ管理システムであって、
上記移動先装置は、
上記コンテンツ管理装置から受信した上記コンテンツのコンテンツ名を変更するコンテンツ名変更手段と、
上記コンテンツ名の変更を上記コンテンツ管理装置へ通知するコンテンツ名変更通知手段と、を備え、
上記コンテンツ管理装置は、
上記移動先装置から上記コンテンツ名の変更が通知された場合、上記コンテンツ名の変更を、上記コンテンツにアクセスするためのリンク情報に記されているコンテンツ名に反映するコンテンツ名変更反映手段を備える
ことを特徴とするコンテンツ管理システム。
【請求項１３】
請求項１から６の何れか１項に記載のコンテンツ管理装置と、
上記コンテンツ管理装置が管理対象とするコンテンツの移動先である移動先装置と、
上記移動先装置に移動された上記コンテンツのさらなる移動先である外部装置と、
を含むコンテンツ管理システムであって、
上記移動先装置は、
上記外部装置に移動されたコンテンツにアクセスするための外部リンク情報を記憶する外部リンク情報記憶手段と、
上記コンテンツ管理装置から、上記コンテンツの送信要求を受信したときに、上記外部リンク情報を用いて上記コンテンツを上記外部装置から取得し、取得した上記コンテンツを上記コンテンツ管理装置へ送信するコンテンツ送信手段とを備える
ことを特徴とするコンテンツ管理システム。
【請求項１４】
請求項１から６の何れか１項に記載のコンテンツ管理装置と、
上記コンテンツ管理装置が管理対象とするコンテンツの移動先である移動先装置と、
上記移動先装置に移動された上記コンテンツのさらなる移動先である外部装置と、
を含むコンテンツ管理システムであって、
上記移動先装置は、
上記外部装置に移動されたコンテンツにアクセスするための外部リンク情報を記憶する外部リンク情報記憶手段と、
上記コンテンツ管理装置から、上記コンテンツの送信要求を受信したときに、上記外部リンク情報を上記コンテンツ管理装置へ送信するリンク情報送信手段とを備える
ことを特徴とするコンテンツ管理システム。
【請求項１５】
請求項１から６の何れか１項に記載のコンテンツ管理装置と、
上記コンテンツ管理装置が管理対象とするコンテンツの移動先である移動先装置と
を含むコンテンツ管理システムであって、
上記移動先装置は、
上記コンテンツ管理装置から受信したコンテンツを削除するコンテンツ削除手段と、
上記コンテンツの削除を上記コンテンツ管理装置へ通知するコンテンツ削除通知手段と、を備え、
上記コンテンツ管理装置は、
上記移動先装置から上記コンテンツの削除が通知された場合、上記コンテンツにアクセスするためのリンク情報を削除するリンク情報削除手段を備える
ことを特徴とするコンテンツ管理システム。